(57)【要約】【課題】各電子機器が、対応するリモートコントロール装置以外のリモートコントロール装置により制御されることを容易に防止する。【解決手段】リモートコントローラ１１は、暗証番号を設定する。リモートコントローラ１１は、暗証番号が設定されている場合、暗証番号を付加して制御信号を送信し、暗証番号が設定されていない場合、制御信号をそのまま送信する。テレビジョン受像機１２は、自信に暗証番号が設定されている場合、リモートコントローラ１１からの制御信号が暗証番号を設定する暗証番号設定モードとなることを要求する制御信号であって、設定されているのと同一の暗証番号が付加されているとき、暗証番号設定モードとなる。本発明は、例えば、テレビジョン受像機とリモートコントローラから構成されるテレビジョンシステムに適用することができる。【選択図】図１
2005348142.tif 000002
【特許請求の範囲】
【請求項１】
電子機器に対して制御信号を送信するリモートコントロール装置と、前記制御信号を受信する電子機器とを備える電子機器制御システムにおいて、
前記リモートコントロール装置は、
暗証番号を設定する設定手段と、
前記設定手段により前記暗証番号が設定されている場合、前記暗証番号を付加して前記制御信号を送信し、前記設定手段により前記暗証番号が設定されていない場合、前記制御信号をそのまま送信する送信手段と
を備え、
前記電子機器は、
前記制御信号を受信する受信手段と、
前記電子機器に前記暗証番号が設定されているかどうかを判定する判定手段と、
前記判定手段により前記暗証番号が設定されていると判定された場合、前記受信手段により受信された前記制御信号が、暗証番号を設定する暗証番号設定モードとなることを要求する制御信号である設定モード制御信号であって、前記暗証番号が付加されているものであるとき、前記暗証番号設定モードとなり、前記判定手段により前記暗証番号が設定されていないと判定された場合、前記受信手段により受信された前記制御信号が前記設定モード制御信号であるときに、前記暗証番号設定モードとなるように、前記電子機器の動作モードを制御するモード制御手段と、
前記動作モードが、前記暗証番号設定モードである場合に、前記受信手段において受信された前記制御信号に応じて、前記暗証番号を設定し、前記動作モードが、前記暗証番号設定モードでない場合において、前記受信手段で受信された前記制御信号が、前記暗証番号設定モードで設定された前記暗証番号に一致する暗証番号が付加されているものであるときに、その制御信号に対応する制御を実行する実行手段と
を備えることを特徴とする電子機器制御システム。
【請求項２】
電子機器に対して制御信号を送信するリモートコントロール装置において、
暗証番号を設定する設定手段と、
前記設定手段により前記暗証番号が設定されている場合、前記暗証番号を付加して前記制御信号を送信し、前記設定手段により前記暗証番号が設定されていない場合、前記制御信号をそのまま送信する送信手段と、
電源がオフされた場合、前記設定手段による前記暗証番号の設定をクリアするクリア手段と
を備えることを特徴とするリモートコントロール装置。
【請求項３】
前記送信手段は、前記設定手段により前記暗証番号が設定される場合にのみ、前記電子機器の動作モードをロックモードとすることを要求する前記制御信号、または前記ロックモードを解除することを要求する前記制御信号を、前記暗証番号を付加して送信する
ことを特徴とする請求項２に記載のリモートコントローラ装置。
【請求項４】
電子機器に対して制御信号を送信するリモートコントロール装置の送信方法において、
暗証番号を設定する設定ステップと、
前記設定ステップの処理により前記暗証番号が設定されている場合、前記暗証番号を付加して前記制御信号を送信し、前記設定ステップの処理により前記暗証番号が設定されていない場合、前記制御信号をそのまま送信する送信ステップと、
電源がオフされた場合、前記設定ステップの処理による前記暗証番号の設定をクリアするクリアステップと
を含むことを特徴とする送信方法。
【請求項５】
電子機器に対して制御信号を送信する送信処理を、コンピュータに行わせるプログラムであって、
暗証番号を設定する設定ステップと、
前記設定ステップの処理により前記暗証番号が設定されている場合、前記暗証番号を付加して前記制御信号を送信し、前記設定ステップの処理により前記暗証番号が設定されていない場合、前記制御信号をそのまま送信する送信ステップと、
電源がオフされた場合、前記設定ステップの処理による前記暗証番号の設定をクリアするクリアステップと
を含むことを特徴とするプログラム。
【請求項６】
電子機器に対して制御信号を送信する送信処理を、コンピュータに行わせるプログラムが記録されている記録媒体であって、
暗証番号を設定する設定ステップと、
前記設定ステップの処理により前記暗証番号が設定されている場合、前記暗証番号を付加して前記制御信号を送信し、前記設定ステップの処理により前記暗証番号が設定されていない場合、前記制御信号をそのまま送信する送信ステップと、
電源がオフされた場合、前記設定ステップの処理による前記暗証番号の設定をクリアするクリアステップと
を含むことを特徴とするプログラムが記録されている記録媒体。
【請求項７】
リモートコントロール装置から送信されてくる制御信号を受信する電子機器において、
前記制御信号を受信する受信手段と、
前記暗証番号が設定されているかどうかを判定する判定手段と、
前記判定手段により前記暗証番号が設定されていると判定された場合、前記受信手段により受信された前記制御信号が、暗証番号を設定する暗証番号設定モードとなることを要求する制御信号である設定モード制御信号であって、前記暗証番号が付加されているものであるとき、前記暗証番号設定モードとなり、前記判定手段により前記暗証番号が設定されていないと判定された場合、前記受信手段により受信された前記制御信号が前記設定モード制御信号であるときに、前記暗証番号設定モードとなるように、前記電子機器の動作モードを制御するモード制御手段と、
前記動作モードが、前記暗証番号設定モードである場合に、前記受信手段において受信された前記制御信号に応じて、前記暗証番号を設定し、前記動作モードが、前記暗証番号設定モードでない場合において、前記受信手段で受信された制御信号が、前記暗証番号設定モードで設定された前記暗証番号に一致する暗証番号が付加されているものであるときに、その制御信号に対応する制御を実行する実行手段と
を備えることを特徴とする電子機器。
【請求項８】
電源がオフされた場合、前記実行手段による前記暗証番号の設定をクリアするクリア手段をさらに備える
ことを特徴とする請求項７に記載の電子機器。
【請求項９】
前記実行手段は、前記受信手段で受信された前記制御信号が、動作モードをロックモードとすること、または前記ロックモードを解除することを要求するものである場合、その制御信号に、前記暗証番号設定モードで設定されている前記暗証番号に一致する暗証番号が付加されているときのみ、前記電子機器の動作モードを前記ロックモードとし、または前記ロックモードを解除する
ことを特徴とする請求項７に記載の電子機器。
【請求項１０】
リモートコントロール装置から送信されてくる制御信号を受信する電子機器の受信方法において、
前記暗証番号が設定されているかどうかを判定する判定ステップと、
前記判定ステップの処理により前記暗証番号が設定されていると判定された場合、受信された前記制御信号が、暗証番号を設定する暗証番号設定モードとなることを要求する制御信号である設定モード制御信号であって、前記暗証番号が付加されているものであるとき、前記暗証番号設定モードとなり、前記判定ステップの処理により前記暗証番号が設定されていないと判定された場合、受信された前記制御信号が暗証番号が付加されていない前記設定モード制御信号であるときに、前記暗証番号設定モードとなるように、前記電子機器の動作モードを制御するモード制御ステップと、
前記動作モードが、前記暗証番号設定モードである場合に、受信された前記制御信号に応じて、前記暗証番号を設定し、前記動作モードが、前記暗証番号設定モードでない場合において、受信された制御信号が、前記暗証番号設定モードで設定された前記暗証番号に一致する暗証番号が付加されているものであるときに、その制御信号に対応する制御を実行する実行ステップと
を含むことを特徴とする受信方法。
【請求項１１】
リモートコントロール装置から送信されてくる制御信号を受信する受信処理を、コンピュータに行わせるプログラムにおいて、
前記暗証番号が設定されているかどうかを判定する判定ステップと、
前記判定ステップの処理により前記暗証番号が設定されていると判定された場合、受信された前記制御信号が、暗証番号を設定する暗証番号設定モードとなることを要求する制御信号である設定モード制御信号であって、前記暗証番号が付加されているものであるとき、前記暗証番号設定モードとなり、前記判定ステップの処理により前記暗証番号が設定されていないと判定された場合、受信された前記制御信号が前記設定モード制御信号であるときに、前記暗証番号設定モードとなるように、前記電子機器の動作モードを制御するモード制御ステップと、
前記動作モードが、前記暗証番号設定モードである場合に、受信された前記制御信号に応じて、前記暗証番号を設定し、前記動作モードが、前記暗証番号設定モードでない場合において、受信された制御信号が、前記暗証番号設定モードで設定された前記暗証番号に一致する暗証番号が付加されているものであるときに、その制御信号に対応する制御を実行する実行ステップと
を含むことを特徴とするプログラム。
【請求項１２】
リモートコントロール装置から送信されてくる制御信号を受信する受信処理を、コンピュータに行わせるプログラムが記録されている記録媒体において、
前記暗証番号が設定されているかどうかを判定する判定ステップと、
前記判定ステップの処理により前記暗証番号が設定されていると判定された場合、受信された前記制御信号が、暗証番号を設定する暗証番号設定モードとなることを要求する制御信号である設定モード制御信号であって、前記暗証番号が付加されているものであるとき、前記暗証番号設定モードとなり、前記判定ステップの処理により前記暗証番号が設定されていないと判定された場合、受信された前記制御信号が前記設定モード制御信号であるときに、前記暗証番号設定モードとなるように、前記電子機器の動作モードを制御するモード制御ステップと、
前記動作モードが、前記暗証番号設定モードである場合に、受信された前記制御信号に応じて、暗証番号を設定し、前記動作モードが、前記暗証番号設定モードでない場合において、受信された制御信号が、前記暗証番号設定モードで設定された暗証番号に一致する暗証番号が付加されているものであるときに、その制御信号に対応する制御を実行する実行ステップと
を含むことを特徴とするプログラムが記録されている記録媒体。
【発明の詳細な説明】
【技術分野】
【０００１】
本発明は、電子機器制御システム、リモートコントロール装置および送信方法、電子機器および受信方法、プログラム、並びに記録媒体に関し、特に、複数の電子機器のそれぞれに対応するリモートコントロール装置がある場合において、各電子機器が、対応するリモートコントロール装置以外のリモートコントロール装置により制御されることを、容易に防止することができるようにする電子機器制御システム、リモートコントロール装置および送信方法、電子機器および受信方法、プログラム、並びに記録媒体に関する。
【背景技術】
【０００２】
従来、電子機器を制御するリモートコントローラにおいて、子供の悪戯等による操作スイッチの誤操作を防止するため、各種の操作スイッチの操作を無効にするロック機能を備えるリモートコントローラがある（例えば、特許文献１参照）。
【０００３】
このリモートコントローラでは、例えば、ユーザによりロック機能を操作するためのロックスイッチが操作された場合、ロック機能が起動される。
【０００４】
【特許文献１】特開２００３−１５６２４６号公報
【発明の開示】
【発明が解決しようとする課題】
【０００５】
しかしながら、例えば、同一メーカの、同一種類の複数の電子機器のそれぞれに対応するリモートコントローラがある場合、ユーザが、対応するリモートコントローラでロック機能を起動したとしても、電子機器は、各リモートコントローラからの信号を識別することが困難であるため、ロック機能を起動していない他のリモートコントローラの操作によって制御されてしまうことがある。
【０００６】
そこで、例えば、VTR(Video Tape Recorder)などのリモートコントローラには、複数のVTRを識別するための識別スイッチが設けられたものがある。かかるリモートコントローラによれば、識別スイッチにより、制御対象のVTRを指定し、そのVTRのみを制御することができる。
【０００７】
しかしながら、識別スイッチにより指定することができるVTRの総数は、一般に、２，３台程度であり、より多くのVTRから任意のVTRを指定することは困難である。
【０００８】
本発明は、このような状況に鑑みてなされたものであり、複数の電子機器、特に、多数の電子機器のそれぞれに対応するリモートコントロール装置がある場合において、各電子機器が、対応するリモートコントロール装置以外のリモートコントロール装置により制御されることを、容易に防止することができるようにするものである。
【課題を解決するための手段】
【０００９】
本発明の情報処理システムでは、リモートコントロール装置は、暗証番号を設定する設定手段と、設定手段により暗証番号が設定されている場合、暗証番号を付加して制御信号を送信し、設定手段により暗証番号が設定されていない場合、制御信号をそのまま送信する送信手段とを備え、電子機器は、制御信号を受信する受信手段と、電子機器に暗証番号が設定されているかどうかを判定する判定手段と、判定手段により暗証番号が設定されていると判定された場合、受信手段により受信された制御信号が、暗証番号を設定する暗証番号設定モードとなることを要求する制御信号である設定モード制御信号であって、暗証番号が付加されているものであるとき、暗証番号設定モードとなり、判定手段により暗証番号が設定されていないと判定された場合、受信手段により受信された制御信号が設定モード制御信号であるときに、暗証番号設定モードとなるように、電子機器の動作モードを制御するモード制御手段と、動作モードが、暗証番号設定モードである場合に、受信手段において受信された制御信号に応じて、暗証番号を設定し、動作モードが、暗証番号設定モードでない場合において、受信手段で受信された制御信号が、暗証番号設定モードで設定された暗証番号に一致する暗証番号が付加されているものであるときに、その制御信号に対応する制御を実行する実行手段とを備えることを特徴とする。
【００１０】
本発明のリモートコントロール装置は、暗証番号を設定する設定手段と、設定手段により暗証番号が設定されている場合、暗証番号を付加して制御信号を送信し、設定手段により暗証番号が設定されていない場合、制御信号をそのまま送信する送信手段と、電源がオフされた場合、設定手段による暗証番号の設定をクリアするクリア手段とをさらに設けることができる。
【００１１】
送信手段は、設定手段により暗証番号が設定される場合にのみ、電子機器の動作モードをロックモードとすることを要求する制御信号、またはロックモードを解除することを要求する制御信号を、暗証番号を付加して送信することができる。
【００１２】
本発明の送信方法は、暗証番号を設定する設定ステップと、設定ステップの処理により暗証番号が設定されている場合、暗証番号を付加して制御信号を送信し、設定ステップの処理により暗証番号が設定されていない場合、制御信号をそのまま送信する送信ステップと、電源がオフされた場合、設定ステップの処理による暗証番号の設定をクリアするクリアステップとを含むことを特徴とする。
【００１３】
本発明の第１のプログラムは、暗証番号を設定する設定ステップと、設定ステップの処理により暗証番号が設定されている場合、暗証番号を付加して制御信号を送信し、設定ステップの処理により暗証番号が設定されていない場合、制御信号をそのまま送信する送信ステップと、電源がオフされた場合、設定ステップの処理による暗証番号の設定をクリアするクリアステップとを含むことを特徴とする。
【００１４】
本発明の第１の記録媒体に記録されているプログラムは、暗証番号を設定する設定ステップと、設定ステップの処理により暗証番号が設定されている場合、暗証番号を付加して制御信号を送信し、設定ステップの処理により暗証番号が設定されていない場合、制御信号をそのまま送信する送信ステップと、電源がオフされた場合、設定ステップの処理による暗証番号の設定をクリアするクリアステップとを含むことを特徴とする。
【００１５】
本発明の電子機器は、制御信号を受信する受信手段と、暗証番号が設定されているかどうかを判定する判定手段と、判定手段により暗証番号が設定されていると判定された場合、受信手段により受信された制御信号が、暗証番号を設定する暗証番号設定モードとなることを要求する制御信号である設定モード制御信号であって、暗証番号が付加されているものであるとき、暗証番号設定モードとなり、判定手段により暗証番号が設定されていないと判定された場合、受信手段により受信された制御信号が設定モード制御信号であるときに、暗証番号設定モードとなるように、電子機器の動作モードを制御するモード制御手段と、動作モードが、暗証番号設定モードである場合に、受信手段において受信された制御信号に応じて、暗証番号を設定し、動作モードが、暗証番号設定モードでない場合において、受信手段で受信された制御信号が、暗証番号設定モードで設定された暗証番号に一致する暗証番号が付加されているものであるときに、その制御信号に対応する制御を実行する実行手段とを備えることを特徴とする。
【００１６】
この電子機器には、電源がオフされた場合、実行手段による暗証番号の設定をクリアするクリア手段をさらに設けることができる。
【００１７】
実行手段は、受信手段で受信された制御信号が、動作モードをロックモードとすること、またはロックモードを解除することを要求するものである場合、その制御信号に、暗証番号設定モードで設定されている暗証番号に一致する暗証番号が付加されているときのみ、電子機器の動作モードをロックモードとし、またはロックモードを解除することができる。
【００１８】
本発明の受信方法は、暗証番号が設定されているかどうかを判定する判定ステップと、判定ステップの処理により暗証番号が設定されていると判定された場合、受信された制御信号が、暗証番号を設定する暗証番号設定モードとなることを要求する制御信号である設定モード制御信号であって、暗証番号が付加されているものであるとき、暗証番号設定モードとなり、判定ステップの処理により暗証番号が設定されていないと判定された場合、受信された制御信号が設定モード制御信号であるときに、暗証番号設定モードとなるように、電子機器の動作モードを制御するモード制御ステップと、動作モードが、暗証番号設定モードである場合に、受信された制御信号に応じて、暗証番号を設定し、動作モードが、暗証番号設定モードで設定された暗証番号に一致する暗証番号が付加されているものであるときに、その制御信号に対応する制御を実行する実行ステップとを含むことを特徴とする。
【００１９】
本発明の第２のプログラムは、暗証番号が設定されているかどうかを判定する判定ステップと、判定ステップの処理により暗証番号が設定されていると判定された場合、受信された制御信号が、暗証番号を設定する暗証番号設定モードとなることを要求する制御信号である設定モード制御信号であって、暗証番号が付加されているものであるとき、暗証番号設定モードとなり、判定ステップの処理により暗証番号が設定されていないと判定された場合、受信された制御信号が設定モード制御信号であるときに、暗証番号設定モードとなるように、電子機器の動作モードを制御するモード制御ステップと、動作モードが、暗証番号設定モードである場合に、受信された制御信号に応じて、暗証番号を設定し、動作モードが、暗証番号設定モードでない場合において、受信された制御信号が、暗証番号設定モードで設定された暗証番号に一致する暗証番号が付加されているものであるときに、その制御信号に対応する制御を実行する実行ステップとを含むことを特徴とする。
【００２０】
本発明の第２の記録媒体に記録されているプログラムは、暗証番号が設定されているかどうかを判定する判定ステップと、判定ステップの処理により暗証番号が設定されていると判定された場合、受信された制御信号が、暗証番号を設定する暗証番号設定モードとなることを要求する制御信号である設定モード制御信号であって、暗証番号が付加されているものであるとき、暗証番号設定モードとなり、判定ステップの処理により暗証番号が設定されていないと判定された場合、受信された制御信号が設定モード制御信号であるときに、暗証番号設定モードとなるように、電子機器の動作モードを制御するモード制御ステップと、動作モードが、暗証番号設定モードである場合に、受信された制御信号に応じて、暗証番号を設定し、動作モードが、暗証番号設定モードでない場合において、受信された制御信号が、暗証番号設定モードで設定された暗証番号に一致する暗証番号が付加されているものであるときに、その制御信号に対応する制御を実行する実行ステップとを含むことを特徴とする。
【００２１】
本発明の電子機器制御システムにおいては、リモートコントロール装置が、暗証番号を設定し、暗証番号が設定されている場合、暗証番号を付加して制御信号を送信し、暗証番号が設定されていない場合、制御信号をそのまま送信する。電子機器は、制御信号を受信し、電子機器に暗証番号が設定されているかどうかを判定する。電子機器は、暗証番号が設定されていると判定した場合、受信した制御信号が、暗証番号を設定する暗証番号設定モードとなることを要求する制御信号である設定モード制御信号であって、暗証番号が付加されているものであるとき、暗証番号設定モードとなる。一方、電子機器は、暗証番号が設定されていないと判定された場合、受信した制御信号が設定モード制御信号であるときに、暗証番号設定モードとなるように、電子機器の動作モードを制御する。また、電子機器は、動作モードが、暗証番号設定モードである場合に、受信した制御信号に応じて、暗証番号を設定し、動作モードが、暗証番号設定モードでない場合において、受信された制御信号が、暗証番号設定モードで設定された暗証番号に一致する暗証番号が付加されているものであるときに、その制御信号に対応する制御を実行する。
【００２２】
本発明のリモートコントロール装置においては、暗証番号を設定し、暗証番号が設定されている場合、暗証番号を付加して制御信号を送信し、暗証番号が設定されていない場合、制御信号をそのまま送信する。また、電源がオフされた場合、暗証番号の設定をクリアする。
【００２３】
本発明の電子機器においては、制御信号を受信し、電子機器に暗証番号が設定されているかどうかを判定する。電子機器は、暗証番号が設定されていると判定した場合、受信した制御信号が、暗証番号を設定する暗証番号設定モードとなることを要求する制御信号である設定モード制御信号であって、暗証番号が付加されているものであるとき、暗証番号設定モードとなる。一方、電子機器は、暗証番号が設定されていないと判定された場合、受信した制御信号が設定モード制御信号であるときに、暗証番号設定モードとなるように、電子機器の動作モードを制御する。また、電子機器は、動作モードが、暗証番号設定モードである場合に、受信した制御信号に応じて、暗証番号を設定し、動作モードが、暗証番号設定モードでない場合において、受信された制御信号が、暗証番号設定モードで設定された暗証番号に一致する暗証番号が付加されているものであるときに、その制御信号に対応する制御を実行する。
【発明の効果】
【００２４】
本発明によれば、特に、複数の電子機器のそれぞれに対応するリモートコントロール装置がある場合において、各電子機器が、対応するリモートコントロール装置以外のリモートコントロール装置により制御されることを防止することができる。
【発明を実施するための最良の形態】
【００２５】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２６】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２７】
請求項１に記載の情報処理システムは、
電子機器(例えば、図１のテレビジョン受像機１２)に対して制御信号を送信するリモートコントロール装置（例えば、図１のリモートコントローラ１１）と、前記制御信号を受信する電子機器とを備える電子機器制御システム（例えば、図１のテレビジョンシステム１）において、
前記リモートコントロール装置は、
暗証番号を設定する設定手段(例えば、図３の制御部９２)と、
前記設定手段により前記暗証番号が設定されている場合、前記暗証番号を付加して前記制御信号を送信し、前記設定手段により前記暗証番号が設定されていない場合、前記制御信号をそのまま送信する送信手段(例えば、図３の送信部９４)と
を備え、
前記電子機器は、
前記制御信号を受信する受信手段(例えば、図４の受光部１２６)と、
前記電子機器に前記暗証番号が設定されているかどうかを判定する判定手段（例えば、図１０のステップＳ１０６、ステップＳ１１３、または図１１のステップＳ１２１の処理を行う制御部１２５）と、
前記判定手段により前記暗証番号が設定されていると判定された場合、前記受信手段により受信された前記制御信号が、暗証番号を設定する暗証番号設定モードとなることを要求する制御信号である設定モード制御信号であって、前記暗証番号が付加されているものであるとき、前記暗証番号設定モードとなり、前記判定手段により前記暗証番号が設定されていないと判定された場合、前記受信手段により受信された前記制御信号が前記設定モード制御信号であるときに、前記暗証番号設定モードとなるように、前記電子機器の動作モードを制御するモード制御手段(例えば、図１１のステップＳ１２６の処理を実行する図４の制御部１２５)と、
前記動作モードが、前記暗証番号設定モードである場合に、前記受信手段において受信された前記制御信号に応じて、暗証番号を設定し（例えば、図１３のステップＳ１４２の処理）、前記動作モードが、前記暗証番号設定モードでない場合において、前記受信手段で受信された前記制御信号が、前記暗証番号設定モードで設定された前記暗証番号に一致する暗証番号が付加されているものであるときに、その制御信号に対応する制御を実行する(例えば、図１０のステップＳ１１１の処理)実行手段(例えば、図１３のステップＳ１４２または図１０のステップＳ１１１の処理を実行する図４の制御部１２５)と
を備えることを特徴とする。
【００２８】
請求項２に記載のリモートコントロール装置は、
電子機器に対して制御信号を送信するリモートコントロール装置において、
暗証番号を設定する設定手段(例えば、図７のステップＳ６１の処理を実行する図３の制御部９２)と、
前記設定手段により前記暗証番号が設定されている場合、前記暗証番号を付加して前記制御信号を送信し、前記設定手段により前記暗証番号が設定されていない場合、前記制御信号をそのまま送信する送信手段(例えば、図３の送信部９４)と、
電源がオフされた場合、前記設定手段による前記暗証番号の設定をクリアするクリア手段（例えば、図９のステップＳ９１の処理を実行する図３の制御部９２）と
を備えることを特徴とする。
【００２９】
請求項３に記載のリモートコントローラ装置は、
前記送信手段は、前記設定手段により前記暗証番号が設定される場合にのみ、前記電子機器の動作モードをロックモードとすることを要求する前記制御信号、または前記ロックモードを解除することを要求する前記制御信号を、前記暗証番号を付加して送信する（例えば、図５のステップＳ２３の処理）
ことを特徴とする。
【００３０】
請求項４に記載のリモートコントローラ装置は、
電子機器に対して制御信号を送信するリモートコントロール装置の送信方法において、
暗証番号を設定する設定ステップ(例えば、図７のステップＳ６１)と、
前記設定ステップの処理により前記暗証番号が設定されている場合、前記暗証番号を付加して前記制御信号を送信し、前記設定ステップの処理により前記暗証番号が設定されていない場合、前記制御信号をそのまま送信する送信ステップ(例えば、図５のステップＳ２４)と、
電源がオフされた場合、前記設定ステップの処理による前記暗証番号の設定をクリアするクリアステップ（例えば、図９のステップＳ９１）と
を含むことを特徴とする。
【００３１】
請求項５に記載のプログラムおよび請求項６に記載の記録媒体に記録されるプログラムは、
電子機器に対して制御信号を送信する送信処理を、コンピュータに行わせるプログラムであって、
暗証番号を設定する設定ステップ(例えば、図７のステップＳ６１)と、
前記設定ステップの処理により前記暗証番号が設定されている場合、前記暗証番号を付加して前記制御信号を送信し、前記設定ステップの処理により前記暗証番号が設定されていない場合、前記制御信号をそのまま送信する送信ステップ(例えば、図５のステップＳ２４)と、
電源がオフされた場合、前記設定ステップの処理による前記暗証番号の設定をクリアするクリアステップ（例えば、図９のステップＳ９１）と
を含むことを特徴とする。
【００３２】
請求項７に記載の電子機器は、
リモートコントロール装置から送信されてくる制御信号を受信する電子機器において、
前記制御信号を受信する受信手段(例えば、図４の受光部１２６)と、
前記暗証番号が設定されているかどうかを判定する判定手段（例えば、図１０のステップＳ１０６、ステップＳ１１３、または図１１のステップＳ１２１の処理を行う制御部１２５）と、
前記判定手段により前記暗証番号が設定されていると判定された場合、前記受信手段により受信された前記制御信号が、暗証番号を設定する暗証番号設定モードとなることを要求する制御信号である設定モード制御信号であって、前記暗証番号が付加されているものであるとき、前記暗証番号設定モードとなり、前記判定手段により前記暗証番号が設定されていないと判定された場合、前記受信手段により受信された前記制御信号が前記設定モード制御信号であるときに、前記暗証番号設定モードとなるように、前記電子機器の動作モードを制御するモード制御手段(例えば、図１１のステップＳ１２６の処理を実行する図４の制御部１２５)と、
前記動作モードが、前記暗証番号設定モードである場合に、前記受信手段において受信された前記制御信号に応じて、暗証番号を設定し（例えば、図１３のステップＳ１４２の処理）、前記動作モードが、前記暗証番号設定モードでない場合において、前記受信手段で受信された前記制御信号が、前記暗証番号設定モードで設定された前記暗証番号に一致する暗証番号が付加されているものであるときに、その制御信号に対応する制御を実行する(例えば、図１０のステップＳ１１１の処理)実行手段(例えば、図１３のステップＳ１４２または図１０のステップＳ１１１の処理を実行する図４の制御部１２５)と
を備えることを特徴とする。
【００３３】
請求項８に記載の電子機器は、
電源がオフされた場合、前記実行手段による前記暗証番号の設定をクリアするクリア手段（例えば、図１６のステップＳ１８１の処理を実行する図４の制御部１２５）をさらに備えることを特徴とする。
【００３４】
請求項９に記載の電子機器は、
前記実行手段は、前記受信手段で受信された前記制御信号が、動作モードをロックモードとすること、または前記ロックモードを解除することを要求するものである場合、その制御信号に、前記暗証番号設定モードで設定されている前記暗証番号に一致する暗証番号が付加されているときのみ、前記電子機器の動作モードを前記ロックモードとし、または前記ロックモードを解除する(例えば、図１５のステップＳ１６４，Ｓ１６５の処理)
ことを特徴とする。
【００３５】
請求項１０に記載の受信方法は、
リモートコントロール装置から送信されてくる所定の制御信号を受信する電子機器の受信方法において、
前記暗証番号が設定されているかどうかを判定する判定ステップ（例えば、図１０のステップＳ１０６、ステップＳ１１３、または図１１のステップＳ１２１）と、
前記判定ステップの処理により前記暗証番号が設定されていると判定された場合、受信された前記制御信号が、暗証番号を設定する暗証番号設定モードとなることを要求する制御信号である設定モード制御信号であって、前記暗証番号が付加されているものであるとき、前記暗証番号設定モードとなり、前記判定ステップの処理により前記暗証番号が設定されていないと判定された場合、受信された前記制御信号が前記設定モード制御信号であるときに、前記暗証番号設定モードとなるように、前記電子機器の動作モードを制御するモード制御ステップ(例えば、図１１のステップＳ１２６)と、
前記動作モードが、前記暗証番号設定モードである場合に、受信された前記制御信号に応じて、暗証番号を設定し（例えば、図１３のステップＳ１４２）、前記動作モードが、前記暗証番号設定モードでない場合において、受信された前記制御信号が、暗証番号設定モードで設定された前記暗証番号に一致する暗証番号が付加されているものであるときに、その制御信号に対応する制御を実行する実行ステップ(例えば、図１０のステップＳ１１１)と
を含むことを特徴とする。
【００３６】
請求項１１に記載のプログラムおよび請求項１２に記載の記録媒体に記録されるプログラムは、
リモートコントロール装置から送信されてくる所定の制御信号を受信する受信処理を、コンピュータに行わせるプログラムにおいて、
前記暗証番号が設定されているかどうかを判定する判定ステップ（例えば、図１０のステップＳ１０６、ステップＳ１１３、または図１１のステップＳ１２１）と、
前記判定ステップの処理により前記暗証番号が設定されていると判定された場合、受信された前記制御信号が、暗証番号を設定する暗証番号設定モードとなることを要求する制御信号である設定モード制御信号であって、前記暗証番号が付加されているものであるとき、前記暗証番号設定モードとなり、前記判定ステップの処理により前記暗証番号が設定されていないと判定された場合、受信された前記制御信号が前記設定モード制御信号であるときに、前記暗証番号設定モードとなるように、前記電子機器の動作モードを制御するモード制御ステップ(例えば、図１１のステップＳ１２６)と、
前記動作モードが、前記暗証番号設定モードである場合に、受信された前記制御信号に応じて、暗証番号を設定し（例えば、図１３のステップＳ１４２）、前記動作モードが、前記暗証番号設定モードでない場合において、受信された前記制御信号が、暗証番号設定モードで設定された前記暗証番号に一致する暗証番号が付加されているものであるときに、その制御信号に対応する制御を実行する(例えば、図１０のステップＳ１１１)実行ステップと
を含むことを特徴とする。
【００３７】
以下、本発明を適用した具体的な実施の形態について、図面を参照しながら詳細に説明する。
【００３８】
図１は、本発明を適用したテレビジョンシステム１の一実施の形態の外観構成例を示している。
【００３９】
図１のテレビジョンシステム１は、リモートコントローラ１１1乃至１１3とテレビジョン受像機１２1乃至１２3から構成される。ここで、テレビジョン受像機１２1乃至１２3の図中正面には、例えば、テレビジョン放送番組等の画像が表示されるCRT（Cathode Ray Tube）３１1乃至３１3がそれぞれ設けられている。
【００４０】
なお、以下、リモートコントローラ１１1乃至１１3を区別する必要がない場合、リモートコントローラ１１1乃至１１3をまとめて、リモートコントローラ１１という。また、テレビジョン受像機１２1乃至１２3を区別する必要がない場合、テレビジョン受像機１２1乃至１２3をまとめて、テレビジョン受像機１２という。さらに、CRT３１1乃至３１3を区別する必要がない場合、CRT３１1乃至３１3をまとめて、CRT３１という。
【００４１】
リモートコントローラ１１は、例えば、テレビジョン受像機１２における受信チャンネルの変更の操作を与えるときなどに、ユーザにより操作される。リモートコントローラ１１は、ユーザの操作に基づいて、例えば、SIRCS(Serial Infrared Remote Control System)規格に準拠した制御信号を、赤外線により、テレビジョン受像機１２に送信する。
【００４２】
なお、リモートコントローラ１１は、赤外線の他、例えば、Bluetooth（商標）等の電波による通信により、制御信号を送信することが可能である。この場合、制御信号は、Bluetoothの規格に準拠した信号となる。
【００４３】
テレビジョン受像機１２は、リモートコントローラ１１から送信されてくる、赤外線による制御信号を受光し、その制御信号に対応する処理を実行する。例えば、テレビジョン受像機１２は、リモートコントローラ１１から送信されてくる制御信号にしたがい、CRT３１に表示させるテレビジョン放送番組（の画像）のチャンネルを変更する。
【００４４】
なお、基本的には、リモートコントローラ１１1乃至１１3のいずれによっても、テレビジョン受像機１２1乃至１２3のいずれをも制御することができる。但し、リモートコントローラ１１1乃至１１3およびテレビジョン受像機１２1乃至１２3には、後述するように、暗証番号を設定することができ、暗証番号が設定されているリモートコントローラ１１は、その暗証番号と同一の暗証番号が設定されているテレビジョン受像機１２のみを制御することができる。
【００４５】
図２は、図１のリモートコントローラ１１の外観構成例を示す平面図である。
【００４６】
セレクトキー５１は、上下左右方向の４つの方向の他、その中間の４つの斜め方向の合計８つの方向に操作（方向操作）することができる。さらに、セレクトキー５１は、リモートコントローラ１１の上面に対して垂直方向にも押下操作（セレクト操作）することができる。
【００４７】
ボリウムキー５２は、ボリュームをアップまたはダウンさせるときに操作される。チャンネルアップダウンキー５３は、受信する放送チャンネルの番号を、アップまたはダウンするときに操作される。
【００４８】
メニューキー５４は、テレビジョン受像機１２のCRT３１に、各種の設定や、所定の処理のコマンドの入力を行うためのメニュー画面を表示させるときに操作される。
【００４９】
ここで、メニュー画面が表示された場合には、そのメニュー画面における項目等を操作するカーソルが、CRT３１に表示される。このカーソルは、セレクトキー５１を方向操作することで、その操作に対応する方向に移動する。また、カーソルが、所定の項目上の位置にあるときに、セレクトキー５１がセレクト操作されると、その項目の選択が確定される。なお、メニューには、アイコンを表示させることが可能であり、セレクトキー５１は、アイコンをクリックするときも、セレクト操作される。
【００５０】
イグジットキー５５は、メニュー画面から元の通常の画面に戻る場合などに操作される。ディスプレイボタン５６は、現在選択しているチャンネルの番号や、現在の音量等のＯＳＤ(On Screen Display)表示のオン／オフを切り換えるときに操作される。
【００５１】
数字キー（テンキー）５７には、０乃至９の数字が表示されており、その表示されている数字を入力するときに操作される。ジャンプキー５８は、元のチャンネルに戻るときに操作される。具体的には、数字キー５７を操作することにより、チャンネルを切り換えるとができるが、チャンネルの切り換えが行われると、切り換え前のチャンネルが記憶され、ジャンプキー５８は、この切り換え前の元のチャンネルに戻るときに操作される。
【００５２】
ロックキー５９は、リモートコントローラ１１に設けられたロックキー５９以外のすべてのキーの操作を無効にするロックモードを設定するときに、操作される。また、ロックキー５９は、ロックモードを解除するときにも操作される。即ち、ロックキー５９が操作されるごとに、ロックモードの設定と解除が交互に行われる。
【００５３】
暗証番号キー６０は、リモートコントローラ１１およびテレビジョン受像機１２に暗証番号を設定するときに操作される。ここで、暗証番号キー６０が操作された後、数字キー５７が、例えば、３回操作されることにより、リモートコントローラ１１およびテレビジョン受像機１２に、３桁の暗証番号が設定される。
【００５４】
ミューティングキー６１は、テレビジョン受像機１２のミューティング状態を設定または解除するときに操作される。スリープキー６２は、所定の時刻になった場合、または所定の時間が経過した場合に、自動的に電源をオフするスリープモードを設定または解除するときに操作される。
【００５５】
電源キー６３は、テレビジョン受像機１２の電源をオンまたはオフするときに操作される。発光部６４は、リモートコントローラ１１が操作された場合に、その操作を表す制御信号を、赤外線によって出射するようになっている。リセットボタン７０は、例えば、リモートコントローラ１１の各種の設定を、工場出荷時の状態に初期化するときに、操作される。
【００５６】
なお、リセットボタン７０は、リモートコントローラ１１の筐体の中に設けられており、リモートコントローラ１１の筐体のリセットボタン７０に対応する位置には、穴が形成されている。従って、リセットボタン７０は、リモートコントローラ１１の筐体に形成されている小穴を通る細長い棒状のもの、即ち、例えば、ボールペンのペン先などによってのみ操作が可能になっている。
【００５７】
図３は、図２のリモートコントローラ１１の機能的構成例を示すブロック図である。
【００５８】
リモートコントローラ１１は、入力部９１、制御部９２、記憶部９３、送信部９４、および電源９５から構成される。リモートコントローラ１１は、ユーザによるリモートコントローラ１１に設けられたキー（図２）の操作に応じて、制御信号を赤外線で送信する。
【００５９】
入力部９１は、例えば、リモートコントローラ１１に設けられたキー（図２）から構成される。入力部９１は、ユーザからのキーの操作を受け付け、その操作されたキーを表す制御信号を制御部９２に供給する。
【００６０】
制御部９２は、必要に応じて、記憶部９３の記憶内容を参照しながら、入力部９１から供給される制御信号に対応する処理を行う。即ち、記憶部９３は、後述するように暗証番号を記憶するが、制御部９２は、入力部９１からの制御信号をそのまま、または記憶部９３に記憶されている暗証番号を付加して送信部９４に供給する。さらに、制御部９２は、入力部９１からの制御信号に応じて、記憶部９３に各種の情報を記憶させる（設定する）。
【００６１】
記憶部９３は、制御部９２からの制御にしたがい、例えば、暗証番号や、有効な暗証番号が設定されていることを表す有効フラグ、動作モードが、暗証番号を設定する暗証番号設定モードであることを表す設定フラグ、動作モードが、ロックキー５９以外の操作を無効とするロックモードであることを表すロックモードフラグなどを記憶する。
【００６２】
送信部９４は、制御部９２から供給される制御信号を、テレビジョン受像機１２に赤外線で送信する。電源９５は、例えば、リモートコントローラ１１にセットされた電池などであり、各部に必要な電力を供給する。
【００６３】
以上のように構成されるリモートコントローラ１１では、入力部９１が、ユーザからのキーの操作を受け付け、そのキーを表す制御信号を制御部９２に供給する。制御部９２は、記憶部９３に記憶された有効フラグに応じて、制御信号に暗証番号を付加して送信部９４に供給するか、または制御信号をそのまま送信部９４に供給する。送信部９４は、制御部９２から供給される制御信号を、テレビジョン受像機１２に赤外線で送信する。
【００６４】
図４は、図１のテレビジョン受像機１２の構成例を示すブロック図である。
【００６５】
図４のテレビジョン受像機１２は、CRT３１、アンテナ端子１１１、チューナ１２１，A/D(Analog/Digital)変換器１２２，Y/C分離部１２３、マトリクス変換（D/A変換）部１２４、制御部１２５、受光部１２６、記憶部１２７、および電源１２８から構成される。
【００６６】
チューナ１２１には、アンテナ端子１１１から、図示せぬアンテナで受信されたテレビジョン放送信号が供給されるようになっており、チューナ１２１は、後述する制御部１２５の制御により、所定のチャンネルのテレビジョン放送信号を検波、復調し、A/D変換器１２２に供給する。
【００６７】
A/D変換器１２２は、チューナ１２１からのテレビジョン放送信号をA/D変換し、そのA/D変換結果のうちの画像データを、Y/C分離部１２３に供給する。ここで、A/D変換器１２２は、テレビジョン放送信号のうちの音声データも出力するが、この音声データは、図示せぬスピーカに供給されて出力される。
【００６８】
Y/C分離部１２３は、A/D変換器１２２からの画像データについて、Y/C分離を行い、マトリクス変換部１２４に供給する。マトリクス変換部１２４は、Y/C分離部１２３から供給される画像データ、または制御部１２５から供給される画像データを、RGB(Red,Green,Blue)の画像データに変換し、D/A変換して出力する。マトリクス変換部１２４が出力する画像データは、CRT３１に供給されて表示される。
【００６９】
制御部１２５は、必要に応じて、記憶部１２７の記憶内容を参照しながら、受光部１２６から供給される制御信号に対応する処理を行う。
【００７０】
即ち、例えば、制御部１２５は、受光部１２６から供給される数字キー５７を表す制御信号に基づいて、チューナ１２１を制御する。また、制御部１２５は、受光部１２６から供給される制御信号に応じて、後述する暗証番号設定画面の画像データなどをマトリクス変換部１２４に供給し、CRT３１に表示させる。さらに、制御部１２５は、受光部１２６から供給される制御信号に応じて、記憶部１２７に各種の情報を記憶させる。
【００７１】
受光部１２６は、リモートコントローラ１１の送信部９４（図３）から赤外線で送信されてくる制御信号を受光し、光電変換して、制御部１２５に供給する。
【００７２】
記憶部１２７は、図３のリモートコントローラ１１における記憶部９３と同様に、制御部１２５からの制御にしたがい、例えば、暗証番号や、有効な暗証番号が設定されていることを表す有効フラグ、動作モードが、暗証番号を設定する暗証番号設定モードであることを表す設定フラグ、動作モードが、ロックキー５９以外のキー操作を無効とするロックモードであることを表すロックモードフラグ、および暗証番号などを記憶する。電源１２８は、各部に必要な電力を供給する。
【００７３】
以上のように構成されるテレビジョン受像機１２では、チューナ１２１が、アンテナ端子１１１から供給されるテレビジョン放送信号から、所定のチャンネルのテレビジョン放送信号を検波、復調し、A/D変換器１２２に供給する。A/D変換器１２２は、そのテレビジョン放送信号をA/D変換し、A/D変換結果のうちの画像データを、Y/C分離部１２３に供給する。Y/C分離部１２３は、その画像データについて、Y/C分離を行い、マトリクス変換部１２４に供給する。マトリクス変換部１２４は、そのY/C分離後の画像データを、RGBの画像データに変換し、D/A変換してCRT３１に供給する。CRT３１は、そのRGB画像データを表示する。
【００７４】
図５は、図３のリモートコントローラ１１が制御信号を送信する送信処理を説明するフローチャートである。この送信処理は、例えば、ユーザがリモートコントローラ１１のキーを操作し、入力部９１からそのキーを表す制御信号が制御部９２に供給されたとき、開始される。
【００７５】
ステップＳ１１において、制御部９２は、入力部９１から供給される制御信号が表すキーが、ロックキー５９であるかどうかを判定し、ロックキー５９でないと判定した場合、即ち、ユーザがロックキー５９以外の操作を無効にするロックモードの設定または解除を行うためにロックキー５９以外を操作した場合、ステップＳ１２に進む。
【００７６】
ステップＳ１２において、制御部９２は、動作モードがロックモードであるかどうかを判定する。
【００７７】
ここで、記憶部９３には、動作モードが、ロックキー５９以外の操作を無効とするロックモードであるかどうかを表すロックモードフラグが記憶されており、ステップＳ１２において、動作モードがロックモードであるかどうかの判定は、記憶部９３に記憶されているロックモードフラグがオンであるかどうかを判定することによって行われる。
【００７８】
ステップＳ１２において、記憶部９３に記憶されているロックモードフラグがオンであり、従って、動作モードとしてロックモードが設定されていると判定された場合、ロックキー５９以外の操作は無効であるとして、処理を終了する。
【００７９】
このように、動作モードとしてロックモードが設定されている場合、ロックキー５９以外の操作を無効にするので、リモートコントローラ１１の誤操作を防止することができる。即ち、リモートコントローラ１１の落下や、床においてあるリモートコントローラ１１を、子供が踏んでしまったこと等によるリモートコントローラ１１の誤操作を防止することができる。
【００８０】
ステップＳ１２において、動作モードがロックモードではないと判定された場合、即ち、記憶部９３に記憶されているロックモードフラグがオフになっている場合、ステップＳ１３に進み、制御部９２は、動作モードとして、暗証番号を設定する暗証番号設定モードが設定されているかどうか、即ち、記憶部９３に記憶されている設定フラグがオンであるかどうかを判定する。
【００８１】
ここで、記憶部９３には、動作モードが、暗証番号を設定する暗証番号設定モードであるかどうかを表す設定フラグが記憶されており、ステップＳ１３において、動作モードが暗証番号設定モードであるかどうかの判定は、記憶部９３に記憶されている設定フラグがオンであるかどうかを判定することによって行われる。
【００８２】
ステップＳ１３において、動作モードが暗証番号設定モードではないと判定された場合、即ち、記憶部９３に記憶された設定フラグがオフである場合、制御部９２は、ステップＳ１４に進み、入力部９１から供給される制御信号が表すキーが、暗証番号キー６０であるかどうかを判定する。
【００８３】
ステップＳ１４において、入力部９１から供給される制御信号が表すキーが、暗証番号キー６０であると判定された場合、即ち、ユーザが、暗証番号を設定するために、暗証番号キー６０を操作した場合、制御部９２は、ステップＳ１５に進み、暗証番号の設定の準備を行う暗証番号準備処理を行い、ステップＳ２４に進む。ステップＳ２４では、送信部９４において、ステップＳ２３の暗証番号準備処理により、後述するように制御部９２から送信部９４に供給される制御信号が、テレビジョン受像機２３に向けて、送信され、処理を終了する。なお、ステップＳ２３の暗証番号準備処理の詳細は、図６のフローチャートを参照して後述する。
【００８４】
一方、ステップＳ１４において、入力部９１から供給される制御信号が表すキーが、暗証番号キー６０ではないと判定された場合、即ち、ユーザがロックキー５９および暗証番号キー６０以外のキーを操作した場合、制御部９２は、ステップＳ１６に進み、制御部９２は、有効な暗証番号が設定されているかどうか、即ち、記憶部９３に記憶されている有効フラグがオンであるかどうかを判定する。
【００８５】
ここで、記憶部９３には、有効な暗証番号が設定されているかどうか（記憶部９３に有効な暗証番号が記憶されているかどうか）を表す有効フラグが記憶されており、ステップＳ１６において、有効な暗証番号が設定されているかどうかの判定は、記憶部９３に記憶されている有効フラグがオンであるかどうかを判定することによって行われる。
【００８６】
ステップＳ１６において、有効な暗証番号が設定されていると判定された場合、ステップＳ１７に進み、制御部９２は、記憶部９３に記憶されている、その有効な暗証番号を読み出し、ステップＳ１８に進む。
【００８７】
ステップＳ１８において、制御部９２は、入力部９１から供給される制御信号に、ステップＳ１７で記憶部９３から読み出した暗証番号を付加し、送信部９４に供給して、ステップＳ２４に進む。この場合、ステップＳ２４では、送信部９４において、制御部９２からの暗証番号が付加された制御信号が、テレビジョン受像機１２に向けて送信され、処理を終了する。
【００８８】
また、ステップＳ１６において、有効な暗証番号が設定されていないと判定された場合、即ち、記憶部９３に記憶された設定フラグがオフである場合、制御部９２は、ステップＳ１９に進み、入力部９１から供給される制御信号を、そのまま送信部９４に供給して、ステップＳ２４に進む。この場合、ステップＳ２４では、送信部９４において、制御部９２からの、暗証番号が付加されていない制御信号が、テレビジョン受像機１２に向けて送信され、処理を終了する。
【００８９】
一方、ステップＳ１３において、動作モードが暗証番号を設定するための暗証番号設定モードであると判定された場合、即ち、記憶部９３に記憶された設定フラグがオンである場合、制御部９２は、ステップＳ２０に進み、入力部９１から供給される制御信号が表すキーが、数字キー５７であるかどうかを判定する。
【００９０】
ステップＳ２０において、入力部９１から供給される制御信号が表すキーが、数字キー５７ではないと判定された場合、制御部９２は、処理を終了する。即ち、動作モードとして、暗証番号設定モードが設定されており、数字キー５７以外のキーが操作された場合には、そのキーの操作に対応した処理は行われず、従って、数字キー５７以外のキーの操作は無視される。
【００９１】
また、ステップＳ２０において、入力部９１から供給される制御信号が表すキーが、数字キー５７であると判定された場合、即ち、ユーザが暗証番号を構成する数字を入力するために、数字キー５７を操作した場合、制御部９２は、ステップＳ２１に進み、暗証番号を設定する暗証番号設定処理を行い、ステップＳ２４に進む。この場合、ステップＳ２４では、送信部９４において、ステップＳ２１の暗証番号設定処理により、後述するように、制御部９２から送信部９４に供給される制御信号が、テレビジョン受像機１２に向けて送信され、処理を終了する。なお、ステップＳ２１の暗証番号設定処理の詳細は、図７のフローチャートを参照して後述する。
【００９２】
一方、ステップＳ１１において、入力部９１から供給される制御信号が表すキーが、ロックキー５９であると判定された場合、即ち、ユーザがロックモードの設定または解除を行うために、ロックキー５９を操作した場合、ステップＳ２２に進み、制御部９２は、有効な暗証番号が設定されているかどうか、即ち記憶部９３に記憶されている、有効な暗証番号が設定されているかどうかを表す有効フラグがオンであるかどうかを判定する。
【００９３】
ステップＳ２２において、有効な暗証番号が設定されていないと判定された場合、制御部９２は、処理を終了する。即ち、ロックキー５９が操作された場合において、暗証番号が設定されていない場合には、ロックキー５９の操作に対応した処理は行われず、従って、ロックキー５９の操作は無視される。
【００９４】
一方、ステップＳ２２において、有効な暗証番号が設定されていると判定された場合、制御部９２は、ステップＳ２３に進み、ロックモードの設定または解除を行うロックキー処理を行い、ステップＳ２４に進む。この場合、ステップＳ２４では、送信部９４において、ステップＳ２３のロックキー処理により、後述するように、制御部９２から送信部９４に供給される制御信号が、テレビジョン受像機１２に向けて送信され、処理を終了する。なお、ステップＳ２３のロックキー処理の詳細は、図８のフローチャートを参照して後述する。
【００９５】
図６は、図５のステップＳ１５で制御部９２が行う暗証番号準備処理を説明するフローチャートである。
【００９６】
暗証番号準備処理は、図５で説明したように、暗証番号キー６０が操作された直後に行われる。
【００９７】
ステップＳ４１において、制御部９２は、有効な暗証番号が設定されているかどうか、即ち記憶部９３に記憶されている有効フラグがオンであるかどうかを判定し、有効な暗証番号が設定されていると判定した場合、ステップＳ４２に進む。
【００９８】
ステップＳ４２において、制御部９２は、記憶部９３に記憶されている暗証番号を読み出し、ステップＳ４３に進む。ステップＳ４３において、制御部９２は、暗証番号キー６０を表す制御信号に、ステップＳ４２で読み出した暗証番号を付加して、送信部９４に供給し、ステップＳ４５に進む。
【００９９】
従って、暗証番号キー６０が操作された場合に、有効な暗証番号が設定されているときには、図５のステップＳ２４において、その有効な暗証番号が付加された暗証番号キー６０を表す制御信号が、リモートコントローラ１１から送信される。
【０１００】
一方、ステップＳ４１において、有効な暗証番号が設定されていないと判定された場合、ステップＳ４４に進み、制御部９２は、暗証番号キー６０を表す制御信号を、そのまま送信部９４に供給し、ステップＳ４５に進む。
【０１０１】
従って、暗証番号キー６０が操作された場合に、有効な暗証番号が設定されていないときには、図５のステップＳ２４において、暗証番号キー６０を表す制御信号だけ（暗証番号が付加されていない制御信号）が、リモートコントローラ１１から送信される。
【０１０２】
ステップＳ４５において、制御部９２は、リモートコントローラ１１の動作モードを暗証番号設定モードに設定する。即ち、制御部９２は、記憶部９３に記憶されている設定フラグをオンにする。ステップＳ４５の処理後は、ステップＳ４６に進み、制御部９２は、記憶部９３に記憶されている暗証番号の設定を消去(クリア)する。即ち、制御部９２は、記憶部９１に記憶されている有効な暗証番号が設定されていることを表す有効フラグをオフにする。ステップＳ４６の処理後は、ステップＳ４７に進み、制御部９２は、暗証番号の桁を表す変数Ｎを１に設定し、図５のステップＳ２４に進む。
【０１０３】
図７は、図５のステップＳ２１で制御部９２が行う暗証番号設定処理を説明するフローチャートである。
【０１０４】
暗証番号設定処理は、図５で説明したように、動作モードが暗証番号設定モードに設定されている場合において、ユーザが数字キー５７を操作したときに行われる。なお、以下では、暗証番号が３桁の数字であるものとする。
【０１０５】
ステップＳ６１において、制御部９２は、入力部９１から供給される数字キー５７を表す制御信号に基づいて、暗証番号のＮ桁目を設定する。例えば、制御信号が表す数字キー５７の番号が、「１」であり、変数Ｎが１である場合、制御部９２は、記憶部９３に、暗証番号の１桁目として１を記憶させる。
【０１０６】
ステップＳ６１の処理後は、ステップＳ６２に進み、制御部９２は、数字キー５７を表す制御信号を送信部９４に供給して、ステップＳ６３に進む。即ち、これにより、暗証番号のＮ桁目を表す制御信号が、図５のステップＳ２４で、リモートコントローラ１１から送信される。
【０１０７】
ステップＳ６３において、制御部９２は、変数Ｎを１だけインクリメントし、ステップＳ６４に進む。ステップＳ６４において、制御部９２は、変数Ｎが３より大であるかどうかを判定し、変数Ｎが３より大ではないと判定された場合、即ち、暗証番号設定モードになってから、まだ暗証番号としての３桁の数字のすべてが設定されていない場合、図５のステップ２４に進む。
【０１０８】
一方、ステップＳ６４において、変数Ｎが３より大であると判定された場合、即ち、暗証番号の１桁目乃至３桁目の数字が設定された場合、ステップＳ６５に進み、制御部９２は、有効な暗証番号が設定されたとして、記憶部９３に記憶されている有効フラグをオンにし、ステップＳ６６に進む。
【０１０９】
ステップＳ６６において、制御部９２は、暗証番号設定モードを解除し、図５のステップＳ２４に進む。即ち、制御部９２は、記憶部９３に記憶されている設定フラグをオフにし、図５のステップＳ２４に進む。
【０１１０】
図８は、図５のステップＳ２３の制御部９２が行うロックキー処理を説明するフローチャートである。
【０１１１】
ロックキー処理は、図５で説明したように、ロックキー５９が操作され、有効な暗証番号が設定されている場合に行われる。
【０１１２】
ステップＳ８１において、制御部９２は、記憶部９３に記憶されている暗証番号を読み出し、ステップＳ８２に進む。
【０１１３】
ステップＳ８２において、制御部９２は、動作モードとしてロックモードが設定されているかどうか、即ち、記憶部９３に記憶されているロックモードフラグがオンであるかどうかを判定する。ステップＳ８２において、ロックモードが設定されていると判定された場合、即ち、記憶部９３に記憶されたロックモードフラグがオンである場合、制御部９２は、ステップＳ８３に進み、ロックモードを解除する。即ち、制御部９２は、記憶部９３に記憶されているロックモードフラグをオフにする。
【０１１４】
ステップＳ８３の処理後は、ステップＳ８４に進み、制御部９２は、入力部９１から供給されるロックキー５９を表す制御信号を、ロックモードを解除することを要求する制御信号に変換する。そして、制御部９２は、その変換後の制御信号に、ステップＳ８１で記憶部９３から読み出された暗証番号を付加して、送信部９４に供給し、図５のステップＳ２４に進む。即ち、これにより、暗証番号が付加されたロックモードを解除することを要求する制御信号が、図５のステップＳ２４で、リモートコントローラ１１から送信される。
【０１１５】
一方、ステップＳ８２において、ロックモードが設定されていないと判定された場合、即ち、記憶部９３に記憶されたロックモードフラグがオフである場合、ステップＳ８５に進み、制御部９２は、動作モードをロックモードに設定する。即ち、制御部９２は、記憶部９３に記憶されているロックモードフラグをオンにする。
【０１１６】
ステップＳ８５の処理後は、ステップＳ８６に進み、制御部９２は、入力部９１から供給されるロックキー５９を表す制御信号を、動作モードをロックモードとすることを要求する制御信号に変換する。そして、制御部９２は、その変換後の制御信号に、ステップＳ８１で記憶部９３から読み出された暗証番号を付加して、送信部９４に供給し、図５のステップＳ２４に進む。即ち、これにより、暗証番号が付加された動作モードをロックモードとすることを要求する制御信号が、図５のステップＳ２４で、リモートコントローラ１１から送信される。
【０１１７】
図９は、図３のリモートコントローラ１１の初期化処理を説明するフローチャートである。この初期化処理は、例えば、リモートコントローラ１１のリセットボタン７０が操作されたとき、開始される。
【０１１８】
ステップＳ９１において、制御部９２は、記憶部９３における暗証番号の設定をクリアする。即ち、制御部９２は、有効フラグをオフにする。ステップＳ９１の処理後は、ステップＳ９２に進み、制御部９２は、暗証番号設定モードを解除する。即ち、制御部９２は、記憶部９３に記憶された設定フラグをオフにする。ステップＳ９２の処理後は、ステップＳ９３に進み、制御部９２は、記憶部９３に記憶されたロックモードを解除し、処理を終了する。即ち、制御部９２は、ロックモードフラグをオフにし、処理を終了する。
【０１１９】
以上のように、リセットボタン７０が操作された場合には、有効フラグ、設定フラグ、ロックモードフラグが、すべてオフにされる。
【０１２０】
なお、リモートコントローラ１１において、図９の初期化処理は、リセットボタン７０が操作された場合の他、例えば、電源キー６３が操作されることにより、テレビジョン受像機１２の電源がオフにされたときや、電源９５としての電池が外され、電源９５がオフにされたとき、あるいは、その後、電源９５としての電池が装着されたときなどに行うことが可能である。但し、電源９５がオフにされたときに初期化処理を行うには、例えば、コンデンサをチャージしておくこと等によって、電源９５がオフされた後であっても、初期化処理を行う間は、リモートコントローラ１１の各部に、電力を供給することができるようにする必要がある。
【０１２１】
図１０は、図５のテレビジョン受像機１２が行う制御信号を受信する受信処理を説明するフローチャートである。この受信処理は、テレビジョン受像機１２の受光部１２６が制御信号を受光し、制御部１２５に供給したとき、開始される。
【０１２２】
ステップＳ１０１において、制御部１２５は、受光部１２６から供給された制御信号(リモートコントローラ１１からの制御信号)が、動作モードをロックモードとすることを要求する制御信号、またはロックモードを解除することを要求する制御信号（以下、ロックモード信号という）であるかどうかを判定し、ロックモード信号ではないと判定した場合、ステップＳ１０２に進む。
【０１２３】
ステップＳ１０２において、制御部１２５は、動作モードがロックモードであるかどうか、即ち記憶部１２７に記憶されているロックモードフラグがオンであるかどうかを判定する。ここで、記憶部１２７は、動作モードが、リモートコントローラ１１のロックキー５９以外の操作を向こうとするロックモードであるかどうかを現すロックモードフラグが記憶されており、ステップＳ１０２において、動作モードがロックモードであるかどうかの判定は、記憶部１２７に記憶されているロックモードフラグがオンであるかどうかを判定することによって行われる。
【０１２４】
ステップＳ１０２において、制御部１２５は、ロックモードが設定されていると判定した場合、即ち、記憶部１２７に記憶されたロックモードフラグがオンである場合、ロックキー５９以外のキーの操作は無効であるとして、処理を終了する。
【０１２５】
また、ステップＳ１０２において、動作モードがロックモードではないと判定された場合、即ち、記憶部１２７に記憶されたロックモードフラグがオフである場合、ステップＳ１０３に進み、制御部１２５は、動作モードが暗証番号設定モードであるかどうか、即ち記憶部１２７に記憶されている設定フラグがオンであるかどうかを判定する。
【０１２６】
ここで、記憶部１２７は、動作モードが、暗証番号を設定する暗証番号設定モードであるかどうかを表す設定フラグが記憶されており、ステップＳ１０３において、動作モードが暗証番号設定モードであるかどうかの判定は、記憶部１２７に記憶されている設定フラグがオンであるかどうかを判定することによって行われる。
【０１２７】
ステップＳ１０３において、動作モードが暗証番号設定モードではないと判定された場合、即ち、記憶部１２７に記憶された設定フラグがオフである場合、制御部１２５は、ステップＳ１０４に進み、リモートコントローラ１１からの制御信号が、暗証番号キー６０を表す制御信号、即ち動作モードを暗証番号を設定する暗証番号設定モードとすることを要求する制御信号であるかどうかを判定する。
【０１２８】
ステップＳ１０４において、リモートコントローラ１１からの制御信号が暗証番号キー６０を表す制御信号であると判定された場合、制御部１２５は、ステップＳ１０５に進み、暗証番号の設定の準備を行う暗証番号準備処理を行い、処理を終了する。この暗証番号準備処理の詳細は、図１１のフローチャートを参照して後述する。
【０１２９】
また、ステップＳ１０４において、リモートコントローラ１１からの制御信号が暗証番号キー６０を表す制御信号ではないと判定された場合、即ち、制御信号がロックキー５９と暗証番号キー６０以外のキーを表す制御信号である場合、制御部１２５は、ステップＳ１０６に進み、有効な暗証番号が設定されているかどうか、即ち記憶部１２７に記憶されている有効フラグがオンであるかどうかを判定する。
【０１３０】
ここで、記憶部１２７には、有効な暗証番号が設定されているかどうか(記憶部１２７に有効な暗証番号が記憶されているかどうか)を表す有効フラグが記憶されており、ステップＳ１０６において、有効な暗証番号が設定されているかどうかの判定は、記憶部１２７に記憶されている有効フラグがオンであるかどうかを判定することによって行われる。
【０１３１】
ステップＳ１０６において、有効な暗証番号が設定されていないと判定された場合、即ち、記憶部１２７に記憶された有効フラグがオフである場合、ステップＳ１０７に進む。
【０１３２】
ステップＳ１０７において、制御部１２５は、リモートコントローラ１１からの制御信号に暗証番号が付加されているかどうかを判定し、制御信号に暗証番号が付加されていると判定した場合、即ち有効な暗証番号が設定されていないが、リモートコントローラ１１からの制御信号には暗証番号が付加されている場合、処理を終了する
【０１３３】
一方、ステップＳ１０７において、リモートコントローラ１１からの制御信号に暗証番号が付加されていないと判定された場合、即ち、テレビジョン受像機１２において有効な暗証番号が設定されておらず、さらに、リモートコントローラ１１からの制御信号にも暗証番号が付加されていない場合、制御部１２５は、ステップＳ１１１に進み、リモートコントローラ１１からの制御信号に対応する処理、即ち、チャンネルのアップまたはダウンや、ボリュームのアップまたはダウンなどを行い、処理を終了する。
【０１３４】
なお、ステップＳ１０６で有効な暗証番号が設定されていないと判定された場合、制御部１２５は、ステップＳ１０７を行わず、ステップＳ１１１において、リモートコントローラ１１からの制御信号に対応する処理を行うようにすることもできる。即ち、テレビジョン受像機１２において、有効な暗証番号が設定されていない場合には、制御部１２５は、リモートコントローラ１１からの制御信号に暗証番号が付加されているかどうかにかかわらず、その制御信号に対応する処理を行うことができる。
【０１３５】
また、ステップＳ１０６において、有効な暗証番号が設定されていると判定された場合、即ち、記憶部１２７に記憶された有効フラグがオンである場合、ステップＳ１０８に進み、制御部１２５は、ステップＳ１０７と同様に、リモートコントローラ１１からの制御信号に、暗証番号が付加されているかどうかを判定する。
【０１３６】
ステップＳ１０８において、リモートコントローラ１１からの制御信号に、暗証番号が付加されていないと判定された場合、即ち、テレビジョン受像機１２において有効な暗証番号が設定されているが、リモートコントローラ１１からの制御信号には暗証番号が付加されていない場合、制御部１２５は、その制御信号が、自分自身に対応するリモートコントローラ１１からの制御信号ではないとして、処理を終了する。
【０１３７】
一方、ステップＳ１０８において、リモートコントローラ１１からの制御信号に、暗証番号が付加されていると判定された場合、即ち、テレビジョン受像機１２において有効な暗証番号が設定されており、リモートコントローラ１１からの制御信号には、暗証番号が付加されている場合、ステップＳ１０９に進み、制御部１２５は、テレビジョン受像機１２において設定されている暗証番号、即ち、記憶部１２７に記憶されている暗証番号を読み出し、ステップＳ１１０に進む。
【０１３８】
ステップＳ１１０において、制御部１２５は、記憶部１２７から読み出した暗証番号と、リモートコントローラ１１からの制御信号に付加されている暗証番号とが一致するかどうかを判定し、記憶部１２７から読み出した暗証番号と、リモートコントローラ１１からの制御信号に付加されている暗証番号とが一致しないと判定した場合、制御信号が、自分自身に対応するリモートコントローラ１１からの制御信号ではないとして、処理を終了する。
【０１３９】
また、ステップＳ１１０において、記憶部１２７から読み出された暗証番号と、リモートコントローラ１１からの制御信号に付加されている暗証番号とが一致すると判定された場合、即ち、リモートコントローラ１１からの制御信号に暗証番号が付加されており、その暗証番号が記憶部１２７に記憶されている暗証番号と一致している場合、制御部１２５は、制御信号が、自分自身に対応するリモートコントローラ１１からの制御信号であるとして、ステップＳ１１１に進む。
【０１４０】
ステップＳ１１１において、制御部１２５は、リモートコントローラ１１からの制御信号に対応する処理（制御）を行う。具体的には、制御部１２５は、制御信号に基づいて、ユーザの操作したリモートコントローラ１１のキーに対応する処理を行う。
【０１４１】
例えば、ユーザは、CRT３１に表示される番組（の画像）のチャンネルを所望のチャンネルに変更したい場合、その所望のチャンネルの番号に対応する数字キー５７を操作する。リモートコントローラ１１では、図５のステップＳ１１乃至ステップＳ１４、ステップＳ１６乃至ステップＳ１９、およびステップＳ２４の処理が行われ、テレビジョン受像機１２に、所望のチャンネル番号に対応する数字キー５７を表す、暗証番号付きまたは暗証番号なしの制御信号が送信される。
【０１４２】
テレビジョン受像機１２では、制御部１２５により、ステップＳ１０１乃至ステップＳ１０４、およびステップＳ１０６乃至ステップＳ１１１の処理が行われ、受光部１２６で受光されたリモートコントローラ１１からの制御信号に基づいて、チューナ１２１を制御し、その制御信号が表す数字キー５７の番号のチャンネルの番組の画像を検波、復調させる。これにより、CRT３１には、ユーザの所望のチャンネルの番組の画像が表示される。
【０１４３】
上述したステップＳ１０８乃至Ｓ１１１では、テレビジョン受像機１２は、暗証番号が設定されている場合、リモートコントローラ１１からの制御信号に暗証番号が付加されており、さらに、その暗証番号がテレビジョン受像機１２に設定されている暗証番号と一致するときのみ、リモートコントローラ１１からの制御信号に対応する処理を行うので、自分自身に設定されている暗証番号と同一の暗証番号が設定されているリモートコントローラ１１以外のリモートコントローラ１１からの制御信号に対応する処理を行うことを防止することができる。即ち、ユーザが、テレビジョン受像機１２に設定されている暗証番号と同一の暗証番号が設定されているリモートコントローラ１１以外のリモートコントローラ１１を操作した場合に、その操作に応じて、テレビジョン受像機１２のチャンネルやボリュームの変更等が行われてしまうことを防止することができる。
【０１４４】
例えば、図１において、リモートコントローラ１１1とテレビジョン受像機１２1とにのみ同一の暗証番号が設定されている場合には、リモートコントローラ１１1以外のリモートコントローラ１１2または１１3が操作されることにより、テレビジョン受像機１２1が制御されることを防止することができる。また、ユーザがテレビジョン受像機１２1と同一の暗証番号が設定されているリモートコントローラ１１1を操作したとき、そのテレビジョン受像機１２1以外のテレビジョン受像機１２2または１２3が制御されることを防止することができる。
【０１４５】
一方、ステップＳ１０３において、動作モードが、暗証番号設定モードであると判定された場合、制御部１２５は、ステップＳ１１２に進み、暗証番号を設定する暗証番号設定処理を行い、処理を終了する。この暗証番号設定処理の詳細は、図１３のフローチャートを参照して後述する。
【０１４６】
また、ステップＳ１０１において、リモートコンとトーら１１からの制御信号がロックモード信号であると判定された場合、制御部１２５は、ステップＳ１１３に進み、ステップＳ１０６における場合と同様に、有効な暗証番号が設定されているかどうか、即ち記憶部１２７に記憶されている有効フラグがオンであるかどうかを判定する。ステップＳ１１３において、有効な暗証番号が設定されていないと判定された場合、制御部１２５は、ロックモードの設定または解除を行うステップＳ１１４のロックキー処理をスキップして、処理を終了する。従って、テレビジョン受像機１２において有効な暗証番号が設定されていない場合には、テレビジョン受像機１２の動作モードをロックモードとすること、およびロックモードを解除することのいずれも行うことができない。
【０１４７】
一方、ステップＳ１１３において、有効な暗証番号が設定されていると判定された場合、制御部１２５は、ステップＳ１１４に進み、ロックモードの設定または解除を行うロックキー処理を行い、処理を終了する。このロックキー処理の詳細は、図１５のフローチャートを参照して後述する。
【０１４８】
図１１は、図１０のステップＳ１０５の制御部１２５が行う暗証番号準備処理を説明するフローチャートである。
【０１４９】
暗証番号準備処理は、図１０で説明したように、リモートコントローラ１１からの制御信号が、暗証番号キー６０の操作を表す制御信号である場合、即ち、ユーザが暗証番号キー６０を操作した場合に行われる。
【０１５０】
ステップＳ１２１において、制御部１２５は、図１０のステップＳ１０６における場合と同様に、有効な暗証番号が設定されているかどうか、即ち記憶部１２７に記憶されている有効フラグがオンであるかどうかを判定し、有効な暗証番号が設定されていると判定した場合、ステップＳ１２２に進む。
【０１５１】
ステップＳ１２２において、制御部１２５は、図１０のステップＳ１０７における場合と同様に、リモートコントローラ１１からの制御信号に暗証番号が付加されているかどうかを判定し、制御信号に暗証番号が付加されていないと判定した場合、即ち、テレビジョン受像機１２に有効な暗証番号が設定されているが、リモートコントローラ１１からの制御信号には暗証番号が付加されていない場合、制御部１２５は、制御信号は、自分自身に対応するリモートコントローラ１１からの制御信号ではないとして、処理を終了する。
【０１５２】
一方、ステップＳ１２２において、リモートコントローラ１１からの制御信号に暗証番号が付加されていると判定された場合、即ち、テレビジョン受像機１２に有効な暗証番号が設定されており、リモートコントローラ１１からの制御信号に暗証番号が付加されている場合、制御部１２５は、ステップＳ１２３に進み、記憶部１２７に記憶されている暗証番号を読み出す。
【０１５３】
ステップＳ１２３の処理後は、ステップＳ１２４に進み、制御部１２５は、ステップＳ１２３で読み出された記憶部１２７に記憶されている暗証番号と、リモートコントローラ１１からの制御信号に付加されている暗証番号とが一致するかどうかを判定し、記憶部１２７に記憶されている暗証番号と、リモートコントローラ１１からの制御信号に付加されている暗証番号とが一致すると判定した場合、制御部１２５は、制御信号は、自分自身に対応するリモートコントローラ１１からの制御信号であるとして、ステップＳ１２６に進む。
【０１５４】
ステップＳ１２６において、制御部１２５は、動作モードを暗証番号設定モードに設定する。即ち、制御部１２５は、記憶部１２７に記憶されている設定フラグをオンにする。ステップＳ１２６の処理後は、ステップＳ１２７に進み、制御部１２５は、暗証番号を設定するための暗証番号設定画面をCRT３１に表示させ、ステップＳ１２８に進む。
【０１５５】
ステップＳ１２８において、制御部１２５は、記憶部１２７における暗証番号の設定を消去(クリア)する。即ち、制御部１２５は、記憶部１２７に記憶されている有効フラグをオフにする。ステップＳ１２８の処理後は、ステップＳ１２９に進み、制御部１２５は、暗証番号の桁を表す変数Ｎを１に設定し、処理を終了する。以上のように、ステップＳ１２６乃至Ｓ１２９において、制御部１２５は、暗証番号の設定の準備を行う。
【０１５６】
また、ステップＳ１２４において、記憶部１２７に記憶されている暗証番号と、リモートコントローラ１１からの制御信号に付加されている暗証番号とが一致しないと判定された場合、制御部１２５は、制御信号は、自分自身に対応するリモートコントローラ１１からの制御信号ではないとして、処理を終了する。
【０１５７】
一方、ステップＳ１２１において、有効な暗証番号が設定されていないと判定された場合、即ち、記憶部１２７に記憶された有効フラグがオフの場合、ステップＳ１２５に進み、制御部１２５は、ステップＳ１２２と同様に、リモートコントローラ１１からの制御信号に暗証番号が付加されているかどうかを判定する。制御部１２５は、リモートコントローラ１１からの制御信号に暗証番号が付加されていると判定した場合、即ち、テレビジョン受像機１２において有効な暗証番号が設定されていないのに、リモートコントローラ１１からの制御信号には暗証番号が付加されている場合、処理を終了する。
【０１５８】
また、ステップＳ１２５において、リモートコントローラ１１からの制御信号に暗証番号が付加されていないと判定された場合、即ち、テレビジョン受像機１２において有効な暗証番号が設定されておらず、さらにリモートコントローラ１１からの制御信号に暗証番号が付加されていない場合、ステップＳ１２６に進み、以下上述したように、暗証番号の設定の準備が行われる。
【０１５９】
なお、ステップＳ１２１において、有効な暗証番号が設定されていないと判定された場合、ステップＳ１２５の処理を行わず、ステップＳ１２６に進むこともできる。即ち、テレビジョン受像機１２において、有効な暗証番号が設定されていないと場合には、制御信号に暗証番号が付加されているかどうかにかかわらず、暗証番号の設定の準備を行うことができる。
【０１６０】
上述したステップＳ１２１乃至１２４では、テレビジョン受像機１２に暗証番号が設定されている場合、リモートコントローラ１１からの制御信号が、テレビジョン受像機１２に設定されている暗証番号と同一の暗証番号が付加されているものであるとき、暗証番号の設定の準備を行うので、テレビジョン受像機１２が、テレビジョン受像機１２に設定されている暗証番号と同一の暗証番号が設定されているリモートコントローラ１１以外のリモートコントローラ１１からの制御信号に応じて、暗証番号の設定の準備を行うことを防止することができる。
【０１６１】
図１２は、図１１のステップＳ１２７でCRT３１に表示される暗証番号設定画面の例を示している。
【０１６２】
図１２の暗証番号設定画面には、暗証番号の1桁目を表示する領域に、カーソルが表示されている。ここで、ユーザは、リモートコントローラ１１の数字キー５７を操作することにより、暗証番号の１桁目を設定することができる。
【０１６３】
ユーザは、暗証番号を設定する場合、リモートコントローラ１１の暗証番号キー６０を操作する。リモートコントローラ１１は、図５のステップＳ１１乃至Ｓ１５の処理を行い、暗証番号の設定の準備を行う。そして、ステップＳ２４において、リモートコントローラ１１は、暗証番号キー６０を表す制御信号を、赤外線でテレビジョン受像機１２に送信する。
【０１６４】
テレビジョン受像機１２は、リモートコントローラ１１から上述したように送信されてくる制御信号を受光すると、図１０のステップＳ１０１乃至Ｓ１０５の処理を行い、暗証番号の設定の準備を行う。このとき、テレビジョン受像機１２は、図１１のステップＳ１２７で、図１２に示した暗証番号を設定するための暗証番号設定画面をCRT３１に表示する。
【０１６５】
図１３は、図１０のステップＳ１１２で制御部１２５が行う暗証番号設定処理を説明するフローチャートである。
【０１６６】
暗証番号設定処理は、図１０で説明したように、動作モードが暗証番号設定モードに設定されている場合に行われる。
【０１６７】
ステップＳ１４１において、制御部１２５は、リモートコントローラ１１からの制御信号が数字キー５７を表す制御信号であるかどうかを判定し、数字キー５７を表す制御信号ではないと判定した場合、処理を終了する。即ち、テレビジョン受像機１２の動作モードとして、暗証番号設定モードが設定されている場合において、リモートコントローラ１１の数字キー５７以外のキーを表す制御信号が送信されてきたときには、テレビジョン受像機１２において、そのキーの操作に対応した処理は行われず、従って、テレビジョン受像機１２において、数字キー５７以外のキーを表す制御信号は無視される。
【０１６８】
また、ステップＳ１４１において、リモートコントローラ１１からの制御信号が、数字キー５７を表す制御信号であると判定された場合、ステップＳ１４２に進み、制御部１２５は、その数字キー５７を表す制御信号に基づいて、暗証番号のＮ桁目を設定する。即ち、制御部１２５は、リモートコントローラ１１からの制御信号が表す値を、暗証番号のＮ桁目として、記憶部１２７に記憶させる。具体的には、例えば、数字キー５７を表す制御信号が、数字キー５７の「１」を表す制御信号であり、変数Ｎが１である場合、暗証番号の１桁目として１が、記憶部１２７に記憶される。
【０１６９】
ステップＳ１４３において、制御部１２５は、ステップＳ１４２で設定した暗証番号のＮ桁目の数字を、図１１のステップＳ１２７でCRT３１に表示させた暗証番号設定画面（図１２）に表示させる。なお、暗証番号設定画面に表示される数字は、伏字にすることもできる。
【０１７０】
ステップＳ１４３の処理後は、ステップＳ１４４に進み、制御部１２５は、変数Ｎを１だけインクリメントし、ステップＳ１４５に進む。ステップＳ１４５において、制御部１２５は、変数Ｎが３より大であるかどうかを判定し、変数Ｎが３より大ではないと判定された場合、動作モードを暗証番号設定モードとしたまま、処理を終了する。
【０１７１】
一方、ステップＳ１４５において、変数Ｎが３より大であると判定された場合、即ち、暗証番号の１桁目乃至３桁目の数字が記憶部１２７に記憶された場合、ステップＳ１４６に進み、制御部１２５は、有効な暗証番号が設定されたとして、記憶部１２７に記憶されている有効フラグをオンにし、ステップＳ１４７に進む。
【０１７２】
ステップＳ１４７において、制御部１２５は、暗証番号設定モードを解除する。即ち、制御部１２５は、記憶部１２７に記憶されている設定フラグをオフにする。ステップＳ１４７の処理後は、ステップＳ１４８に進み、制御部１２５は、CRT３１に表示された暗証番号設定画面を消去し、処理を終了する。
【０１７３】
図１４は、図１３のステップＳ１４３でCRT３１に表示される暗証番号設定画面の例を示している。
【０１７４】
図１４の暗証番号設定画面には、暗証番号として、「１５７」という３桁の数字が表示されている。
【０１７５】
ユーザは、暗証番号を設定する場合、リモートコントローラ１１の暗証番号キー６０を操作した後、数字キー５７の所望の番号を１桁目から順に操作する。リモートコントローラ１１は、図５のステップＳ１１乃至Ｓ１３、ステップＳ２０、およびステップＳ２１の処理を行い、暗証番号を１桁目から順に設定する。そして、リモートコントローラ１１は、ステップＳ２４において、数字キー５７を表す制御信号を、赤外線でテレビジョン受像機１２に送信する。
【０１７６】
テレビジョン受像機１２は、リモートコントローラ１１から送信されてくる数字キー５７を表す制御信号を受光し、図１０のステップＳ１０１乃至Ｓ１０３、およびＳ１１２の処理を行い、暗証番号を１桁目から順に設定し、図１３のステップＳ１４３で、図１４に示すように、設定した暗証番号を、暗証番号設定画面に表示させる。
【０１７７】
図１５は、図１０のステップＳ１１４の制御部１２５が行うロックキー処理を説明するフローチャートである。
【０１７８】
ロックキー処理は、図１０で説明したように、リモートコントローラ１１からの制御信号が、ロックモード信号であり、かつテレビジョン受像機１２において有効な暗証番号が設定されている場合に行われる。
【０１７９】
ステップＳ１６１において、制御部１２５は、記憶部１２７に記憶されている暗証番号を読み出し、ステップＳ１６２に進む。ステップＳ１６２において、制御部１２５は、ステップＳ１６１で読み出された記憶部１２７に記憶されている暗証番号と、リモートコントローラ１１からの制御信号としてのロックモード信号に付加されている暗証番号とが一致するかどうかを判定し、記憶部１２７に記憶されている暗証番号と、リモートコントローラ１１からのロックモード信号に付加されている暗証番号とが一致していないと判定した場合、そのロックモード信号は、自分自身に対応するリモートコントローラ１１からのロックモード信号ではないとして、処理を終了する。ここで、記憶部１２７に記憶されている暗証番号と、リモートコントローラ１１からのロックモード信号に付加されている暗証番号とが一致していない場合には、リモートコントローラ１１からのロックモード信号に暗証番号が付加されていない場合に含まれる。
【０１８０】
また、ステップＳ１６２において、記憶部１２７に記憶されている暗証番号と、リモートコントローラ１１からのロックモード信号に付加されている暗証番号とが一致していると判定された場合、そのロックモード信号は、自分自身に対応するリモートコントローラ１１からのロックモード信号であるとして、ステップＳ１６３に進む。
【０１８１】
ステップＳ１６３において、制御部１２５は、リモートコントローラ１１からのロックモード信号が、動作モードをロックモードとすることを要求する制御信号であるかどうかを判定し、動作モードをロックモードとすることを要求する制御信号であると判定した場合、制御部１２５は、ステップＳ１６４に進む。
【０１８２】
ステップＳ１６４において、制御部１２５は、リモートコントローラ１１からのロックモードとすることを要求する制御信号に対応する処理を行い、即ち、記憶部１２７に記憶されているロックモードフラグをオンすることにより、動作モードとして、ロックモードを設定し、処理を終了する。
【０１８３】
一方、ステップＳ１６３において、リモートコントローラ１１からの受光部１２６から供給された制御信号が、動作モードをロックモードとすることを要求する制御信号ではない、即ち制御信号がロックモードを解除することを要求する制御信号であると判定された場合、ステップＳ１６５に進み、制御部１２５は、リモートコントローラ１１からのロックモードを解除することを要求する制御信号に対応する処理として、ロックモードを解除し、処理を終了する。即ち、制御部１２５は、記憶部１２７に記憶されているロックモードフラグをオフにし、処理を終了する。
【０１８４】
以上のように、ロックキー処理では、制御信号が、テレビジョン受像機１２に設定されている暗証番号と同一の暗証番号が設定されているリモートコントローラ１１からのロックモード信号である場合のみ、ロックモードの設定または解除を行うので、テレビジョン受像機１２が、自分自身に設定されている暗証番号と同一の暗証番号に対応するリモートコントローラ１１以外のリモートコントローラ１１からのロックモード信号に応じて、ロックモードの設定または解除を行うことを防止することができる。
【０１８５】
図１６は、図４のテレビジョン受像機１２の初期化処理を説明するフローチャートである。この初期化処理は、例えば、テレビジョン受像機１２の電源１２８がオフされるとき、開始される。
【０１８６】
ステップＳ１８１において、制御部１２５は、記憶部１２７における暗証番号の設定をクリアする。即ち、制御部１２５は、有効フラグをオフにする。ステップＳ１８１の処理後は、ステップＳ１８２に進み、制御部１２５は、暗証番号設定モードを解除する。即ち、制御部１２５は、記憶部１２７に記憶された設定フラグをオフにする。ステップＳ１８２の処理後は、ステップＳ１８３に進み、制御部１２５は、ロックモードを解除して、処理を終了する。即ち、制御部１２５は、記憶部１２７に記憶されたロックモードフラグをオフにして、処理を終了する。
【０１８７】
以上のように、リモートコントローラ１１とテレビジョン受像機１２では、例えば、テレビジョン受像機１２の電源１２８がオフにされた場合に、図９と図１６の初期化処理がそれぞれ行われ、これにより、有効フラグ、設定フラグ、ロックモードフラグがオフにされる。
【０１８８】
従って、例えば、ユーザが、同一の暗証番号を設定したりリモートコントローラ１１とテレビジョン受像機１２との組み合わせを忘れてしまったとしても、テレビジョン受像機１２の電源１２８をオフにするだけで、リモートコントローラ１１とテレビジョン受像機１２を、暗証番号が設定されていない状態にすることができ、さらに、暗証番号の再設定を行うことができる。
【０１８９】
また、テレビジョン受像機１２の電源１２８をオフにするだけで、暗証番号設定モードやロックモードを、容易に解除することができる。
【０１９０】
次に、図１７乃至図２２を参照して、図１のテレビジョンシステム１の操作例について説明する。なお、リモートコントローラ１１1乃至１１3、およびテレビジョン受像機１２1乃至１２3には、暗証番号が設定されていないものとする。また、テレビジョン受像機１２1乃至１２3は、同一の部屋に配置され、リモートコントローラ１１1乃至１１3が送信する制御信号は、テレビジョン受像機１２1乃至１２3のすべてにおいて受信することができるものとする。
【０１９１】
まず最初に、ユーザは、図１７に示すように、テレビジョン受像機１２1の電源１２８をオンする。なお、テレビジョン受像機１２1の電源１２８のオンは、リモートコントローラ１１1の電源キー６３を操作するのではなく、例えば、テレビジョン受像機１２1を直接操作することにより行う。暗証番号が設定されていない状態で、リモートコントローラ１１1の電源きー６３を操作すると、テレビジョン受像機１２1だけでなく、テレビジョン受像機１２2や１２3もオンになるおそれがあるからである。
【０１９２】
そして、ユーザは、例えば、リモートコントローラ１１1の暗証番号キー６０（図２）を操作して、暗証番号を設定する。ユーザにより暗証番号キー６０が操作されると、リモートコントローラ１１1は、図５のステップＳ１１乃至Ｓ１５の処理を行い、暗証番号の設定の準備を行う。リモートコントローラ１１1には、まだ暗証番号が設定されていないので、リモートコントローラ１１1は、ステップＳ２４で暗証番号を付加していない暗証番号キー６０を表す制御信号を送信する。
【０１９３】
ユーザは、暗証番号キー６０を操作した後、暗証番号を設定するためにリモートコントローラ１１1の数字キー５７を操作して、暗証番号Ａを設定する。ユーザにより数字キー５７が操作されると、リモートコントローラ１１1は、図５のステップＳ１１乃至１３、ステップＳ２０、およびステップＳ２１の処理を行い、暗証番号Ａを設定して、ステップＳ２４で数字キー５７を表す制御信号を送信する。
【０１９４】
テレビジョン受像機１２1は、リモートコントローラ１１1からの暗証番号キー６０を表す制御信号を受光して、図１０のステップＳ１０１乃至Ｓ１０５の処理を行い、暗証番号の設定の準備を行う。そして、テレビジョン受像機１２1は、リモートコントローラ１１1からの数字キー５７を表す制御信号を受光し、図１０のステップＳ１０１乃至Ｓ１０３、およびステップＳ１１２の処理を行い、暗証番号Ａを設定する。
【０１９５】
このとき、テレビジョン受像機１２2と１２3にも、リモートコントローラ１１1から制御信号が送信されるが、テレビジョン受像機１２2と１２3では、電源１２８がオフされているので、何らの処理も行われない。
【０１９６】
以後、ユーザが、リモートコントローラ１１1を操作した場合には、リモートコントローラ１１1は、暗証番号Ａを付加した制御信号を送信する。
【０１９７】
テレビジョン受像機１２1は、図１８に示すように、リモートコントローラ１１1からの制御信号に付加されている暗証番号Ａと、テレビジョン受像機１２1に設定されている暗証番号Ａとが一致するので、リモートコントローラ１１1からの制御信号に対応する処理を行う。
【０１９８】
なお、このとき、リモートコントローラ１１2やリモートコントローラ１１3には、図１８に示すように、暗証番号が設定されていないので、リモートコントローラ１１2や１１3が操作された場合には、暗証番号なしの制御信号が送信されるが、テレビジョン受像機１２1には、すでに暗証番号Ａが設定されているので、暗証番号なしの制御信号に対しては、何も処理を行わない。
【０１９９】
次に、ユーザは、図１９に示すように、テレビジョン受像機１２2の電源１２８をオンする。そして、ユーザは、リモートコントローラ１１2の暗証番号キー６０を操作して、暗証番号を設定する。ユーザにより暗証番号キー６０が操作されると、リモートコントローラ１１2は、図１７のリモートコントローラ１１1と同様に、暗証番号の設定の準備を行う。リモートコントローラ１１2には、まだ暗証番号が設定されていないので、リモートコントローラ１１2は、暗証番号を付加していない暗証番号キー６０を表す制御信号を送信する。
【０２００】
ユーザは、暗証番号キー６０を操作した後、暗証番号を設定するためにリモートコントローラ１１2の数字キー５７を操作して、暗証番号Ａとは異なる暗証番号Ｂを設定する。ユーザにより数字キー５７が操作されると、図１７のリモートコントローラ１１1と同様に、リモートコントローラ１１2は、暗証番号Ｂを設定して、数字キー５７を表す制御信号を送信する。
【０２０１】
テレビジョン受像機１２1は、リモートコントローラ１１2からの暗証番号キー６０や数字キー５７を表す、暗証番号なしの制御信号を受光するが、テレビジョン受像機１２1には、暗証番号Ａが既に設定されているため、リモートコントローラ１１2からの暗証番号なしの制御信号は、自分自身（テレビジョン受像機１２1）に対応するリモートコントローラ１１1からの制御信号ではないとして、何らの処理も行わない。
【０２０２】
一方、テレビジョン受像機１２2は、図１７のテレビジョン受像機１２1と同様に、リモートコントローラ１１2からの暗証番号キー６０を表す制御信号を受光し、暗証番号の設定の準備を行う。そして、テレビジョン受像機１２2は、図１７のテレビジョン受像機１２1と同様に、リモートコントローラ１１2からの数字キー５７を表す制御信号を受光し、暗証番号Ｂを設定する。
【０２０３】
このとき、テレビジョン受像機１２3にも、リモートコントローラ１１2から制御信号が送信されるが、テレビジョン受像機１２3では、電源１２８がオフされているので、何らの処理も行われない。
【０２０４】
以後、ユーザが、リモートコントローラ１１2を操作した場合には、リモートコントローラ１１2は、暗証番号Ｂを付加したロックモード信号を送信する。
【０２０５】
テレビジョン受像機１２1は、図２０に示すようにリモートコントローラ１１2からの制御信号に付加されている暗証番号Ｂと、テレビジョン受像機１２1に設定されている暗証番号Ａとが一致しないので、リモートコントローラ１１2からの制御信号は、自分自身に対応するリモートコントローラ１１1からの制御信号ではないとして、制御信号に対応する処理を行わない。
【０２０６】
一方、テレビジョン受像機１２2は、リモートコントローラ１１2からの制御信号を受光した場合、ロックモード信号に付加された暗証番号Ｂと、テレビジョン受像機１２2に設定されている暗証番号Ｂとが一致するので、リモートコントローラ１１2からの制御信号に対応する処理を行う。
【０２０７】
なお、このとき、リモートコントローラ１１3には、図２０に示すように、暗証番号が設定されていないので、リモートコントローラ１１3が操作された場合には、暗証番号なしの制御信号が送信されるが、テレビジョン受像機１２1と１２2には、既に暗証番号ＡとＢがそれぞれ設定されているので、暗証番号なしの制御信号に対しては、何も処理を行わない。
【０２０８】
次に、ユーザは、図２１に示すように、テレビジョン受像機１２3の電源１２８をオンする。そして、ユーザは、例えば、リモートコントローラ１１3の暗証番号キー６０を操作して、暗証番号を設定する。ユーザにより暗証番号キー６０が操作されると、リモートコントローラ１１3は、図１７のリモートコントローラ１１1と同様に、暗証番号の設定の準備を行う。リモートコントローラ１１3には、まだ暗証番号が設定されていないので、リモートコントローラ１１3は、暗証番号を付加していない制御信号を送信する。
【０２０９】
ユーザは、暗証番号キー６０を操作した後、暗証番号を設定するためにリモートコントローラ１１3の数字キー５７を操作して、暗証番号ＡおよびＢのいずれとも異なる暗証番号Ｃを設定する。ユーザにより数字キー５７が操作されると、図１７のリモートコントローラ１１1と同様に、リモートコントローラ１１3は、暗証番号Ｃを設定して、数字キー５７を表す制御信号を送信する。
【０２１０】
テレビジョン受像機１２1と１２2は、リモートコントローラ１１3からの暗証番号キー６０や数字キー５７を表す制御信号を受光するが、テレビジョン受像機１２1と１２2には、それぞれ暗証番号ＡとＢが設定されているため、リモートコントローラ１１3からの暗証番号なしの制御信号は、テレビジョン受像機１２1と１２2（自分自身）に対応するリモートコントローラ１１1と１１2それぞれからの制御信号ではないとして、何らの処理も行わない。
【０２１１】
一方、テレビジョン受像機１２3は、図１７のテレビジョン受像機１２1と同様に、リモートコントローラ１１3からの暗証番号キー６０を表す制御信号を受光し、暗証番号設定の準備を行う。そして、テレビジョン受像機１２3は、図１７のテレビジョン受像機１２1と同様に、リモートコントローラ１１3からの数字キー５７を表す制御信号を受光し、暗証番号Ｃを設定する。
【０２１２】
以後、ユーザが、図２２に示すように、リモートコントローラ１１3を操作した場合には、リモートコントローラ１１3は、暗証番号Ｃを付加した制御信号を送信する。
【０２１３】
テレビジョン受像機１２1や１２2は、リモートコントローラ１１3からの制御信号に付加されている暗証番号Ｃと、テレビジョン受像機１２1や１２2に設定されている暗証番号ＡやＢとが一致しないので、リモートコントローラ１１3からの制御信号は、テレビジョン受像機１２1や１２2（自分自身）に対応するリモートコントローラ１１1や１１2からの制御信号ではないとして、何らの処理も行わない。
【０２１４】
一方、テレビジョン受像機１２3は、リモートコントローラ１１3からの制御信号に付加された暗証番号Ｃと、テレビジョン受像機１２3に設定されている暗証番号Ｃとが一致するので、リモートコントローラ１１3からの制御信号に対応する処理を行う。
【０２１５】
以上のようにして、ユーザは、リモートコントローラ１１を操作することにより、暗証番号を、リモートコントローラ１１とテレビジョン受像機１２に設定する。その後、ユがザは、リモートコントローラ１１を操作すると、リモートコントローラ１１に設定された暗証番号が付加された制御信号が、リモートコントローラ１１からテレビジョン受像機１２に送信される。従って、リモートコントローラ１１に設定された暗証番号と一致する暗証番号が設定されたテレビジョン受像機１２にのみ、そのリモートコントローラ１１からの制御信号に対応する処理を行わせることができる。
【０２１６】
即ち、リモートコントローラ１１とテレビジョン受像機１２に、暗証番号が設定されることにより、同一の暗証番号が設定されたリモートコントローラ１１とテレビジョン受像機１２とを対応付けること、つまり、テレビジョン受像機１２において、リモートコントローラ１１（からの制御信号）を識別することができる。従って、テレビジョン受像機１２は、自分自身に対応するリモートコントローラ１１から送信されてくる制御信号に対応する処理を行うことができる。換言すれば、テレビジョン受像機１２において、自分自身に対応するリモートコントローラ１１以外のリモートコントローラ１１により制御されることを防止することができる。
【０２１７】
具体的には、例えば、テレビジョン受像機１２1によって、あるチャンネルの番組をユーザが視聴している場合に、他のユーザがテレビジョン受像機１２2のチャンネルを変更するように、リモートコントローラ１１2を操作したときであっても、そのリモートコントローラ１１2の操作に応じて、テレビジョン受像機１２1のチャンネルが変更され、テレビジョン受像機１２1で番組を視聴しているユーザによる番組の視聴が妨げられることを防止することができる。
【０２１８】
また、本実施の形態では、暗証番号として、３桁の数字を採用したので、最大で、１０００セットのリモートコントローラ１１とテレビジョン受像機１２とを対応付けることができる。
【０２１９】
なお、本実施の形態では、暗証番号を３桁としたが、暗証番号の桁数はこれに限定されない。また、制御信号は、可変長であっても、固定長であってもよい。但し、制御信号を固定長とする場合には、例えば、制御信号の暗証番号を付加する部分を「０」としたものを、暗証番号を付加していない制御信号とするとともに、暗証番号として、オール０は、使用付加にする必要がある。
【０２２０】
さらに、ロックキー５９が操作された場合に、リモートコントローラ１１では、ロックモード信号を送信せずに、リモートコントローラ１１側でのみロックモードの設定または解除を行うこともできる。また、リモートコントローラ１１は、ロックモードの設定または解除を行わず、ロックモード信号を送信し、テレビジョン受像機１２側でのみロックモードの設定または解除を行うようにすることもできる。リモートコントローラ１１側でのみロックモードの設定または解除を行う場合には、テレビジョン受像機１２の動作モードは変更されず、リモートコントローラ１１からの制御信号の送信が許可または制限される。テレビジョン受像機１２側でのみロックモードの設定または解除を行う場合には、リモートコントローラ１１からは制御信号が送信されるが、テレビジョン受像機１２が、その制御信号に対応した処理を行う、または行わなくなる。
【０２２１】
また、リモートコントローラ１１とテレビジョン受像機１２に設定される暗証番号は、秘匿性が要求されるものではないので、リモートコントローラ１１に設定された暗証番号は、リモートコントローラ１１の図示せぬ表示部に表示させることができ、テレビジョン受像機１２に設定された暗証番号も、CRT３１に表示させることができる。この場合、対応するリモートコントローラ１１とテレビジョン受像機１２のセットを容易に認識することができる。
【０２２２】
さらに、リモートコントローラ１１とテレビジョン受像機１２では、有効フラグによって、有効な暗証番号の設定の有無を判定するようにしたが、有効な暗証番号の設定の有無の判定は、有効フラグなしで行うことも可能である。即ち、例えば、特定の数字としてのオール０などを、使用付加の暗証番号とし、オール０の暗証番号が記憶されている場合には、暗証番号が設定されていないと判定し、それ以外の暗証番号が記憶されている場合には、暗証番号が設定されていると判定するようにすることが可能である。この場合、上述した暗証番号の設定のクリアは、暗証番号をオール０にすることによって行われる。
【０２２３】
次に、上述した一連の処理は、専用のハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０２２４】
そこで、図２３は、上述した一連の処理を実行するプログラムがインストールされるコンピュータとリモートコントローラの一実施の形態の構成例を示している。
【０２２５】
プログラムは、図２３のコンピュータ４００に内蔵されている記録媒体としてのハードディスク４０５やROM４０３、またはリモートコントローラ５００に内蔵されているROM５０３に予め記録しておくことができる。
【０２２６】
あるいはまた、プログラムは、フレキシブルディスク、CD-ROM，MO(Magneto Optical)ディスク，DVD、磁気ディスク、半導体メモリなどのリムーバブル記録媒体４１１に、一時的あるいは永続的に格納（記録）しておくことができる。このようなリムーバブル記録媒体４１１は、いわゆるパッケージソフトウエアとして提供することができる。
【０２２７】
なお、プログラムは、上述したようなリムーバブル記録媒体４１１からコンピュータ４００にインストールする他、ダウンロードサイトから、デジタル衛星放送用の人工衛星を介して、コンピュータ４００に無線で転送したり、LAN(Local Area Network)、インターネットといったネットワークを介して、コンピュータ４００に有線で転送し、コンピュータ４００では、そのようにして転送されてくるプログラムを、通信部４０８で受光し、内蔵するハードディスク４０５にインストールすることができる。
【０２２８】
コンピュータ４００は、CPU(Central Processing Unit)４０２を内蔵している。CPU４０２には、バス１０１を介して、入出力インタフェース４１０が接続されており、CPU４０２は、入出力インタフェース４１０を介して、ユーザによって、キーボードや、マウス、マイク等で構成される入力部４０７が操作されたり、受光部４２２により、リモートコントローラ５００からの制御信号が受光されることにより指令が入力されると、それにしたがって、ROM４０３に格納されているプログラムを実行する。あるいは、また、CPU４０２は、ハードディスク４０５に格納されているプログラム、衛星若しくはネットワークから転送され、通信部４０８で受光されてハードディスク４０５にインストールされたプログラム、またはドライブ４０９に装着されたリムーバブル記録媒体４１１から読み出されてハードディスク４０５にインストールされたプログラムを、RAM４０４にロードして実行する。これにより、CPU４０２は、上述したフローチャートにしたがった処理、あるいは上述したブロック図の構成により行われる処理を行う。例えば、CPU４０２は、チューナ４２１を制御し、所定のチャンネルのテレビジョン放送信号を検波、復調する。そして、CPU４０２は、その処理結果を、必要に応じて、例えば、入出力インタフェース４１０を介して、LCD(Liquid Crystal Display)やスピーカ等で構成される出力部４０６から出力、あるいは、通信部４０８から送信、さらには、ハードディスク４０５に記録等させる。
【０２２９】
リモートコントローラ５００は、CPU５０１を内蔵している。CPU５０１は、ユーザによって指令が入力されると、それにしたがって、ROM４０３に格納されているプログラムを実行する。これにより、CPU４０２は、上述したフローチャートにしたがった処理、あるいは上述したブロック図の構成により行われる処理を行う。
【０２３０】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【図面の簡単な説明】
【０２３１】
【図１】本発明を適用したテレビジョンシステムの一実施の形態の外観構成例を示す図である。
【図２】図１のリモートコントローラの外観構成例を示す平面図である。
【図３】図２のリモートコントローラの機能的構成例を示すブロック図である。
【図４】図１のテレビジョン受像機の機能的構成例を示すブロック図である。
【図５】図３のリモートコントローラが制御信号を送信する送信処理を説明するフローチャートである。
【図６】図５のステップＳ１５で制御部が行う暗証番号準備処理を説明するフローチャートである。
【図７】図５のステップＳ２１で制御部が行う暗証番号設定処理を説明するフローチャートである。
【図８】図５のステップＳ２３で制御部が行うロックキー処理を説明するフローチャートである。
【図９】図３のリモートコントローラの初期化処理を説明するフローチャートである。
【図１０】図４のテレビジョン受像機が行う制御信号を受光する受光処理を説明するフローチャートである。
【図１１】図１０のステップＳ１０５の制御部が行う暗証番号準備処理を説明するフローチャートである。
【図１２】図１１のステップＳ１２７でCRTに表示される暗証番号設定画面の例を示す図である。
【図１３】図１０のステップＳ１１２で制御部が行う暗証番号設定処理を説明するフローチャートである。
【図１４】図１３のステップＳ１４３でCRTに表示される暗証番号設定画面の例を示す図である。
【図１５】図１０のステップＳ１１４の制御部が行うロックキー処理を説明するフローチャートである。
【図１６】図４のテレビジョン受像機の初期化処理を説明するフローチャートである。
【図１７】図１のテレビジョンシステムの操作例を説明する図である。
【図１８】図１のテレビジョンシステムの操作例を説明する図である。
【図１９】図１のテレビジョンシステムの操作例を説明する図である。
【図２０】図１のテレビジョンシステムの操作例を説明する図である。
【図２１】図１のテレビジョンシステムの操作例を説明する図である。
【図２２】図１のテレビジョンシステムの操作例を説明する図である。
【図２３】本発明を適用したコンピュータの一実施の形態の構成例を示すブロック図である。
【符号の説明】
【０２３２】
１１  リモートコントローラ１１  テレビジョン受像機，  ９１入力部，  ９３  記憶部，  ９４  送信部,  ９５  電源,  １２５  制御部，  １２６  受光部，  １２７  記憶部，  ４００  コンピュータ  ４０１  バス,  ４０２  CPU,  ４０３  ROM,  ４０４  RAM,  ４０５  ハードディスク,  ４０６  出力部,  ４０７  入力部,  ４０８  通信部,  ４０９  ドライブ,  ４１０  入出力インタフェース,  ４１１  リムーバブル記録媒体，  ４２１  チューナ，  ４２２  受光部，  ５００  リモートコントローラ，  ５０１  CPU,  ５０２  ROM,  ５０３  RAM，  ５０４  送信部
【図１】
2005348142.tif 000003
【図２】
2005348142.tif 000004
【図３】
2005348142.tif 000005
【図４】
2005348142.tif 000006
【図５】
2005348142.tif 000007
【図６】
2005348142.tif 000008
【図７】
2005348142.tif 000009
【図８】
2005348142.tif 000010
【図９】
2005348142.tif 000011
【図１０】
2005348142.tif 000012
【図１１】
2005348142.tif 000013
【図１２】
2005348142.tif 000014
【図１３】
2005348142.tif 000015
【図１４】
2005348142.tif 000016
【図１５】
2005348142.tif 000017
【図１６】
2005348142.tif 000018
【図１７】
2005348142.tif 000019
【図１８】
2005348142.tif 000020
【図１９】
2005348142.tif 000021
【図２０】
2005348142.tif 000022
【図２１】
2005348142.tif 000023
【図２２】
2005348142.tif 000024
【図２３】
2005348142.tif 000025